(57)【要約】【課題】払出装置の駆動手段が設けられた位置の前後方向の寸法を抑えること。【解決手段】払出装置１８４には、第１下流通路領域２２４ａと第２下流通路領域２２４ｂとが形成されている。下流通路領域２２４ａ，２２４ｂの下流側には回転体２３１が設けられている。回転体２３１に形成された一対の球止め部２３３，２３４のうち、一方の球止め部２３３は第１下流通路領域２２４ａの鉛直方向の先側に配置されており、他方の球止め部２３４は第２下流通路領域２２４ｂの鉛直方向の先側に配置されている。一対の球止め部２３３，２３４が一体形成された回転軸部２３２には、払出モータ２３５の出力軸２３５ａが固定されている。この場合に、払出モータ２３５の本体部２３５ｂは、各下流通路領域２２４ａ，２２４ｂが形成された通路形成部２２２に対して横方向に並設された駆動収容部２２３に収容されている。【選択図】      図１６
2020049335.tif 000002
【特許請求の範囲】
【請求項１】
遊技球が流下する遊技領域が前面に形成された遊技部を有するとともに、支持側の対象に対して回動可能に支持されるベース体と、
遊技機前面に設けられ、前記遊技領域を遊技機前方から視認可能とする窓部と、
前記遊技機前面に設けられ、前記遊技領域に向けて遊技球を発射させるべく遊技者により操作される発射操作手段と、
前記ベース体において前記遊技領域の下方に設けられ、前記遊技領域に向けて遊技球を発射する発射手段と、
前記遊技領域に設けられた入球部への遊技球の入球が発生したことに基づいて、それに応じた遊技進行用の制御を実行する進行制御手段と、
前記発射操作手段が操作されたことに基づいて、前記遊技領域に向けて遊技球を発射するよう前記発射手段を制御する発射制御手段と、
前記ベース体の背面に設けられた背面側設置体と、
を備え、
前記発射制御手段は、前記ベース体と前記背面側設置体との間に存在するように、前記ベース体において前記発射手段が表面に設置された支持部の背面に設置されており、
前記背面側設置体は、前記発射制御手段に対して縦方向に対向する対向部を備えていることを特徴とする遊技機。
【発明の詳細な説明】
【技術分野】
【０００１】
本発明は、遊技機に関するものである。
【背景技術】
【０００２】
遊技機の一種であるパチンコ機は、遊技球が流下する遊技領域が形成された遊技盤がベース体に支持されているとともに、パチンコ機前面には遊技領域をパチンコ機前方から視認可能とする窓部が形成されている。また、ベース体において遊技盤の下方には遊技領域に向けて遊技球を発射するための発射手段が設けられている（例えば特許文献１参照）。
【０００３】
発射手段としては、例えば、電磁式のソレノイドと、発射レールと、球送り装置と、を備えている。そして、パチンコ機前面の貯留部に貯留された遊技球が球送り装置により発射レール上に１個ずつ供給されるとともに、パチンコ機前面の発射操作装置が遊技者により手動操作されることに基づき上記ソレノイドが駆動されて発射レール上の遊技球が遊技領域に向けて打出される。
【０００４】
上記のような発射操作装置が手動操作されたことに基づく遊技球の発射制御は、遊技を統括管理する主制御装置とは別に設けられた発射制御装置により実行される。例えば発射操作装置には遊技者が発射操作装置を触れていることを検知するセンサや、遊技者の操作量を検知するセンサが設けられており、それらセンサの検知結果は発射制御装置にて把握される。そして、発射制御装置では、それらセンサの検知結果に基づいて、発射装置のソレノイドに駆動信号を出力し、遊技球の打ち出しを行わせる。
【０００５】
なお、主制御装置から出力された信号を利用して発射制御装置にて発射制御が行われる構成も考えられ、さらにまた発射制御装置が発射制御以外の機能を有している構成も考えられる。
【先行技術文献】
【特許文献】
【０００６】
【特許文献１】特開２００７−１４６６０号公報
【発明の概要】
【発明が解決しようとする課題】
【０００７】
ここで、上記例示等のような遊技機においては、発射制御手段の設置を良好に行う必要があり、この点について未だ改良の余地がある。
【０００８】
本発明は、上記例示した事情等に鑑みてなされたものであり、発射制御手段の設置を良好に行うことが可能な遊技機を提供することを目的とするものである。
【課題を解決するための手段】
【０００９】
上記課題を解決すべく請求項１記載の発明は、遊技球が流下する遊技領域が前面に形成された遊技部を有するとともに、支持側の対象に対して回動可能に支持されるベース体と、
遊技機前面に設けられ、前記遊技領域を遊技機前方から視認可能とする窓部と、
前記遊技機前面に設けられ、前記遊技領域に向けて遊技球を発射させるべく遊技者により操作される発射操作手段と、
前記ベース体において前記遊技領域の下方に設けられ、前記遊技領域に向けて遊技球を発射する発射手段と、
前記遊技領域に設けられた入球部への遊技球の入球が発生したことに基づいて、それに応じた遊技進行用の制御を実行する進行制御手段と、
前記発射操作手段が操作されたことに基づいて、前記遊技領域に向けて遊技球を発射するよう前記発射手段を制御する発射制御手段と、
前記ベース体の背面に設けられた背面側設置体と、
を備え、
前記発射制御手段は、前記ベース体と前記背面側設置体との間に存在するように、前記ベース体において前記発射手段が表面に設置された支持部の背面に設置されており、
前記背面側設置体は、前記発射制御手段に対して縦方向に対向する対向部を備えていることを特徴とする。
【発明の効果】
【００１０】
本発明によれば、発射制御手段の設置を良好に行うことが可能となる。
【図面の簡単な説明】
【００１１】
【図１】一実施の形態におけるパチンコ機を示す正面図である。
【図２】パチンコ機の主要な構成を展開して示す斜視図である。
【図３】パチンコ機の主要な構成を展開して示す斜視図である。
【図４】中間ユニットの正面図である。
【図５】遊技盤の正面図である。
【図６】パチンコ機の背面図である。
【図７】（ａ）は裏パックユニットの後方から見た斜視図であり、（ｂ）は裏パックユニットの前方から見た斜視図である。
【図８】遊技盤を取り外し状態における中間ユニットの背面図である。
【図９】（ａ）は発射制御装置の正面図であり、（ｂ）は発射制御装置の縦断面図である。
【図１０】（ａ）は中間ユニットの背面において発射制御装置が取り付けられている周辺を拡大して示す斜視図であり、（ｂ）は（ａ）の状態から発射制御装置を分離させた状態を示す斜視図である。
【図１１】発射制御装置が設けられた領域及びその周辺の縦断面図である。
【図１２】払出ユニットの斜視図である。
【図１３】払出ユニットの主要な構成部品を分解して示す分解斜視図である。
【図１４】（ａ）は上流側縦通路ユニットの正面図であり、（ｂ）は上流側縦通路ユニットの側面図である。
【図１５】上流側縦通路ユニットの分解斜視図である。
【図１６】（ａ）は払出装置において下流通路領域が形成された部分の横断面図であり、（ｂ）は（ａ）においてＡ―Ａ線部分で示す位置にて切断した払出装置の縦断面図である。
【図１７】払出ユニットの待機通路において遊技球が待機している状態を示す払出ユニットの縦断面図である。
【図１８】（ａ），（ｂ）は整流カバー内における球詰まりを生じづらくするための構成を説明するための説明図である。
【図１９】（ａ）〜（ｃ）は２段目の遊技球の動きを説明するための説明図である。
【図２０】パチンコ機の電気的構成を示すブロック図である。
【図２１】（ａ），（ｂ）は待機通路の変形例を説明するための説明図である。
【発明を実施するための形態】
【００１２】
以下、遊技機の一種であるパチンコ遊技機（以下、「パチンコ機」という）の一実施の形態を、図面に基づいて詳細に説明する。図１はパチンコ機１０の正面図、図２及び図３はパチンコ機１０の主要な構成を展開して示す斜視図である。
【００１３】
なお、図２では便宜上、パチンコ機１０の遊技領域２３ａ内の構成を省略している。また、図１〜図３を含めて各図面においては、基本的に電気機器間を接続する電気配線を省略する。
【００１４】
パチンコ機１０は、当該パチンコ機１０の外殻を形成する外枠１１と、この外枠１１に対して前方に回動可能に取り付けられた遊技機本体１２と、を有する。外枠１１は木製の板材を四辺に連結し構成されるものであって矩形枠状をなしている。パチンコ機１０は、外枠１１を島設備に取り付け固定することにより、遊技ホールに設置される。
【００１５】
遊技機本体１２は、図２に示すように、中間ユニット１３と、その中間ユニット１３の前方に配置される前扉枠１４と、中間ユニット１３の後方に配置される裏パックユニット１５とを備えている。遊技機本体１２のうち中間ユニット１３が外枠１１に対して回動可能に支持されている。詳細には、正面視で左側を回動基端側（開閉基端側）とし、右側を回動先端側（開閉先端側）として中間ユニット１３が前方へ回動可能とされている。
【００１６】
外枠１１において遊技機本体１２を軸支するための下側軸金具１１ａには、当該下側軸金具１１ａの外枠１１への固定を良好に行わせる形状としながら、遊技機本体１２を下方から良好に受ける形状とするために、図示しない切り込みが形成されている。この切り込みは、下側軸金具１１ａを縦方向に貫通しているが、遊技機本体１２を外枠１１に対して閉鎖状態とした際に遊技機本体１２の底面と重なる。これにより、パチンコ機１０の下方から見た場合に上記切り込みは遊技機本体１２の底面により閉塞された状態となり、切り込みを介してパチンコ機１０外部から不正用治具を挿入しようとしてもそれが行いづらくなる。
【００１７】
中間ユニット１３には、図２に示すように、前扉枠１４が回動可能に支持されており、正面視で左側を回動基端側（開閉基端側）とし、右側を回動先端側（開閉先端側）として前方へ回動可能とされている。また、中間ユニット１３には、図３に示すように、裏パックユニット１５が回動可能に支持されており、正面視で左側を回動基端側（開閉基端側）とし、右側を回動先端側（開閉先端側）として後方へ回動可能とされている。
【００１８】
遊技機本体１２には、図３に示すように、その回動先端部に施錠装置１６が設けられており、遊技機本体１２を外枠１１に対して開放不能に施錠状態とする機能を有しているとともに、前扉枠１４を中間ユニット１３に対して開放不能に施錠状態とする機能を有している。これらの各施錠状態は、図１に示すようにパチンコ機１０前面にて露出させて設けられたシリンダ錠１７に対して、解錠キーを用いて解錠操作を行うことにより、それぞれ解除される。
【００１９】
中間ユニット１３の背面側には、シリンダ錠１７と係合するとともに、シリンダ錠１７への解錠操作に応じて遊技機本体１２と外枠１１との施錠状態を解除するための連動部材が設けられているが、図３に示すように、シリンダ錠１７の背面側及び上記連動部材は、透明カバー１８により中間ユニット１３の後方から覆われている。また、当該透明カバー１８は、シリンダ錠１７の背面側の位置から中間ユニット１３の下縁寄りの位置に亘って設けられている。このように透明カバー１８が設けられていることにより、シリンダ錠１７や上記連動部材に対する中間ユニット１３の背面側からの不正アクセスを行いづらくすることが可能となる。また、このように不正アクセスを抑制しながらも、透明カバー１８はその外部からシリンダ錠１７の背面側や上記連動部材を目視確認可能な程度の透明性を有するようなカバー体として設けられているため、メンテナンスなどに際しての目視確認は容易に行うことが可能である。
【００２０】
次に、遊技機本体１２の前面側及び背面側の構成についてそれぞれ詳細に説明する。先ず、遊技機本体１２の前面側の構成について説明する。以下の前面側の構成については、図１及び図２に加え、図４を参照しながら説明する。図４は、中間ユニット１３の正面図である。なお、図４では便宜上、遊技領域２３ａ内の構成を省略している。
【００２１】
中間ユニット１３は、図２に示すように、外形が外枠１１とほぼ同一形状をなす樹脂ベース２１を主体に構成されている。樹脂ベース２１の中央部には、図４に示すように、略楕円形状の窓孔２２が形成されている。この窓孔２２は、樹脂ベース２１に対して着脱可能に取り付けられている遊技盤２３に形成された遊技領域２３ａを中間ユニット１３の前面側に露出させている。
【００２２】
遊技領域２３ａは、遊技盤２３の前面において誘導レールにより区画されるようにして形成されている。誘導レールは、内レール部２４と外レール部２５とからなり、前扉枠１４において回動先端側であって下縁寄りの位置に設けられた発射操作装置３１（図１参照）が遊技者により手動操作された場合に、中間ユニット１３において窓孔２２の下方に設けられた遊技球発射機構４１（図４参照）から発射された遊技球を遊技領域２３ａの上部に導くためのものである。
【００２３】
ちなみに、遊技盤２３の前面において遊技領域２３ａの外側となる右上部分及び右下部分には、それぞれ機種名やメーカー名などの各種情報が印字された証紙２６ａ，２６ｂが貼り付けられており、これら証紙２６ａ，２６ｂは中間ユニット１３において窓孔２２に隣接させて形成された各開口部２７ａ，２７ｂを介して、中間ユニット１３の前面側にて露出している。但し、これら証紙２６ａ，２６ｂのうち一方である右上側の証紙２６ａは前扉枠１４を介してパチンコ機１０前方から視認しようとしても視認できない位置に配置されており、他方である右下側の証紙２６ｂは前扉枠１４を介してパチンコ機１０前方から視認可能な位置に配置されている。なお、両方の証紙２６ａ，２６ｂが遊技盤２３に貼り付けられる使用方法に限定されることはなく、所定の証紙をパチンコ機１０前方から視認可能としたい遊技ホールではその証紙を右下に貼り付け、パチンコ機１０前方からは視認不可としたい遊技ホールではその証紙を右上に貼り付けるようしてもよい。
【００２４】
遊技領域２３ａに遊技球を発射すべく操作される上記発射操作装置３１は、図１に示すように、操作ベース３２に対して、環状の操作ハンドル３３が回転可能に軸支されてなり、遊技球の発射操作に際して操作ハンドル３３が遊技者により回転操作されるものである。この場合、操作ハンドル３３の回転操作量は、操作ベース３２に内蔵された操作量検出手段としての可変抵抗器３４により検出される。また、操作ベース３２には、操作ハンドル３３を遊技者が触れていることを検知するためのタッチセンサ３５が設けられているとともに、操作ハンドル３３を回転操作した状態において遊技球の発射を停止させるために操作される発射止めスイッチ３６が設けられている。
【００２５】
遊技球発射機構４１は、図４に示すように、発射駆動部として設けられた電磁式のソレノイド４２と、発射レール４３と、球送り装置４４とを備えている。球送り装置４４は、後述する上皿８３ａに貯留された遊技球を発射レール４３上に１個ずつ供給する。この場合、この供給される遊技球はソレノイド４２において打出し部として設けられたプランジャ４５の突出経路上に配置される。そして、ソレノイド４２への電気的な信号の入力により、プランジャ４５が発射レール４３上の遊技球に向けて移動し、当該遊技球は遊技領域２３ａに向けて打出される。なお、遊技球発射機構４１の電動アクチュエータは、ソレノイド４２に限定されることはなく、発射モータなどを用いてもよい。
【００２６】
遊技球発射機構４１の動作に基づき遊技球が発射されることとなる遊技領域２３ａの構成を、図５に基づいて説明する。図５は遊技盤２３の正面図である。
【００２７】
遊技盤２３には、ルータ加工が施されることによって前後方向に貫通する大小複数の開口部が形成されている。各開口部には一般入賞口５１，可変入賞装置５２，上作動口５３，下作動口５４，スルーゲート５５、可変表示ユニット５６、メイン表示部５７及び役物用表示部５８等がそれぞれ設けられている。
【００２８】
一般入賞口５１、可変入賞装置５２、上作動口５３及び下作動口５４への入球が発生すると、それが遊技盤２３の背面側に配設された検知センサ（図示略）により検知され、その検知結果に基づいて所定数の賞球の払い出しが実行される。この場合、上作動口５３への入球が発生した場合及び下作動口５４への入球が発生した場合には３個の賞球の払い出しが実行され、一般入賞口５１への入球が発生した場合には１０個の賞球の払い出しが実行され、可変入賞装置５２への入球が発生した場合には１５個の賞球の払い出しが実行される。但し、これら賞球の個数は任意であり、例えば上作動口５３に係る賞球個数よりも下作動口５４に係る賞球個数が多いといったように、両作動口５３，５４の賞球個数が相違していてもよい。また、可変入賞装置５２に係る賞球個数が他の賞球個数に比べて多い構成に限定されることはなく、例えば一般入賞口５１に係る賞球個数よりも少ない構成としてもよい。
【００２９】
その他に、遊技盤２３の最下部にはアウト口５９が設けられており、各種入賞口等に入らなかった遊技球はアウト口５９を通って遊技領域２３ａから排出される。また、遊技盤２３には、遊技球の落下方向を適宜分散、調整等するために多数の釘６１が植設されていると共に、風車等の各種部材（役物）が配設されている。
【００３０】
ここで、入球とは、所定の開口部を遊技球が通過することを意味し、開口部を通過した後に遊技領域２３ａから排出される態様だけでなく、開口部を通過した後に遊技領域２３ａから排出されない態様も含まれる。但し、以下の説明では、アウト口５９への遊技球の入球と明確に区別するために、一般入賞口５１、可変入賞装置５２、上作動口５３、下作動口５４又はスルーゲート５５への遊技球の入球を、入賞とも表現する。
【００３１】
上作動口５３及び下作動口５４は、作動口装置としてユニット化されて遊技盤２３に設置されている。上作動口５３及び下作動口５４は共に上向きに開放されている。また、上作動口５３が上方となるようにして両作動口５３，５４は鉛直方向に並んでいる。下作動口５４には、左右一対の可動片よりなるガイド片（サポート片）としての電動役物５４ａが設けられている。
【００３２】
電動役物５４ａは遊技盤２３の背面側に搭載された電動役物駆動部５４ｂに連結されており、当該電動役物駆動部５４ｂにより駆動されて閉鎖状態（非サポート状態又は非ガイド状態）及び開放状態（サポート状態又はガイド状態）のいずれかに配置される。電動役物５４ａの閉鎖状態では遊技球が下作動口５４に入賞できず、電動役物５４ａが開放状態となることで下作動口５４への入賞が可能となる。
【００３３】
可変入賞装置５２は、通常は遊技球が入賞できない又は入賞し難い閉状態になっており、大当たり当選といった開閉実行モード（特別遊技状態）への移行当選となった際に、遊技球が入賞しやすい所定の開放状態に切り換えられるようになっている。可変入賞装置５２の開放態様として具体的には、所定時間（例えば３０秒間）の経過又は所定個数（例えば１０個）の入賞を１ラウンドとして、複数ラウンド（例えば１５ラウンド）を上限として可変入賞装置５２が繰り返し開放される。
【００３４】
メイン表示部５７では、上作動口５３又は下作動口５４への入賞をトリガとして絵柄の変動表示が行われ、その変動表示の停止結果として、上作動口５３又は下作動口５４への入賞に基づいて行われた内部抽選の結果が表示によって明示される。つまり、本パチンコ機１０では、上作動口５３への入賞と下作動口５４への入賞とが内部抽選において区別されておらず、上作動口５３又は下作動口５４への入賞に基づいて行われた内部抽選の結果が共通の表示領域であるメイン表示部５７にて明示される。そして、上作動口５３又は下作動口５４への入賞に基づく内部抽選の結果が開閉実行モードへの移行に対応した当選結果であった場合には、メイン表示部５７にて所定の停止結果が表示されて変動表示が停止された後に、開閉実行モードへ移行する。
【００３５】
なお、メイン表示部５７は、複数のセグメント発光部が所定の態様で配列されてなるセグメント表示器により構成されているが、これに限定されることはなく、液晶表示装置、有機ＥＬ表示装置、ＣＲＴ又はドットマトリックス表示器等その他のタイプの表示装置によって構成されていてもよい。また、メイン表示部５７にて変動表示される絵柄としては、複数種の文字が変動表示される構成、複数種の記号が変動表示される構成、複数種のキャラクタが変動表示される構成又は複数種の色が切り換え表示される構成などが考えられる。
【００３６】
役物用表示部５８では、スルーゲート５５への入賞をトリガとして絵柄の変動表示が行われ、その変動表示の停止結果として、スルーゲート５５への入賞に基づいて行われた内部抽選の結果が表示によって明示される。スルーゲート５５への入賞に基づく内部抽選の結果が電役開放状態への移行に対応した当選結果であった場合には、役物用表示部５８にて所定の停止結果が表示されて変動表示が停止された後に、電役開放状態へ移行する。電役開放状態では、下作動口５４に設けられた電動役物５４ａが所定の態様で開放状態となる。
【００３７】
可変表示ユニット５６には、絵柄の一種である図柄を変動表示（又は、可変表示若しくは切換表示）する図柄表示装置６２が設けられているとともに、図柄表示装置６２を囲むようにしてセンターフレーム６３が配設されている。図柄表示装置６２は、液晶ディスプレイを備えた液晶表示装置として構成されており、後述する表示制御装置により表示内容が制御される。なお、図柄表示装置６２は、液晶表示装置であることに限定されることはなく、プラズマディスプレイ装置、有機ＥＬ表示装置又はＣＲＴといった表示画面を有する他の表示装置であってもよく、ドットマトリクス表示器であってもよい。
【００３８】
図柄表示装置６２では、上作動口５３又は下作動口５４への入賞に基づいて図柄の変動表示が開始される。すなわち、メイン表示部５７において変動表示が行われる場合には、それに合わせて図柄表示装置６２において変動表示が行われる。例えば上、中及び下に並べて図柄が表示され、これらの図柄が左右方向にスクロールされるようにして変動表示されるようになっている。そして、予め設定されている有効ライン上に所定の組み合わせの図柄が停止表示された場合には、開閉実行モードが発生することとなる。
【００３９】
なお、いずれかの作動口５３，５４への入賞に基づいて、メイン表示部５７及び図柄表示装置６２にて変動表示が開始され、所定の停止結果を表示し上記変動表示が停止されるまでが遊技回の１回に相当する。
【００４０】
センターフレーム６３の前面側における左上部分には、メイン表示部５７及び図柄表示装置６２に対応した第１保留ランプ部６４が設けられている。遊技球が上作動口５３又は下作動口５４に入賞した個数は最大４個まで保留され、第１保留ランプ部６４の点灯によってその保留個数が表示されるようになっている。
【００４１】
センターフレーム６３の右上部分には、役物用表示部５８に対応した第２保留ランプ部６５が設けられている。遊技球がスルーゲート５５を通過した回数は最大４回まで保留され、第２保留ランプ部６５の点灯によってその保留個数が表示されるようになっている。
【００４２】
遊技領域２３ａ内の様子は、図２に示すように、前扉枠１４に設けられた窓パネルユニット７１を通じてパチンコ機１０前方から視認可能となっている。窓パネルユニット７１は、図４に示すように、前後一対の透明ガラス７２ａ，７２ｂが前後方向に対向配置された状態で、周縁部にて固定枠７３により一体化された構成である。つまり、窓パネルユニット７１として複層ガラスが利用されている。窓パネルユニット７１は図２に示すように、前扉枠１４に形成された窓部７４を後方から覆うように取り付けられており、固定枠７３が窓部７４の周縁部に対して後方から当接された状態で前扉枠１４に固定されている。
【００４３】
なお、窓パネルユニット７１は、ガラスによって無色透明に形成されているが、これに限定されることはなく合成樹脂によって無色透明に形成されていてもよく、パチンコ機１０前方から窓パネルユニット７１を通じて遊技領域２３ａを視認可能であれば有色透明に形成されていてもよい。
【００４４】
ここで、窓パネルユニット７１は、上記のとおり前扉枠１４に対して、その背面側から固定されているが、窓部７４の周縁部と窓パネルユニット７１の周縁部との間には若干の隙間が生じ得る。そうすると、当該隙間を通じて、パチンコ機１０前方から不正用治具を遊技領域２３ａに導入しようとする不正行為が想定される。これに対して、図４に示すように、中間ユニット１３の樹脂ベース２１において窓パネルユニット７１の周縁部に対して後方にて対向する領域には、パチンコ機１０後方へと凹んだ溝部７５が形成されている。当該溝部７５は、窓パネルユニット７１の周縁部に沿うようにして正面視で湾曲状に形成されており、さらに所定の隙間を置いて、複数形成されている。上記のように溝部７５が形成されていることにより、図４において部分拡大の縦断面図に示すように、パチンコ機１０前方から上記隙間に挿入された不正用治具は溝部７５に入り込み、遊技領域２３ａ側への入り込みが規制される。
【００４５】
ちなみに、樹脂ベース２１の上縁寄りに形成された溝部７５内には一対のリブ７６が形成されている。当該一対のリブ７６間には、前扉枠１４を中間ユニット１３に対して閉鎖した際に窓パネルユニット７１の一部が入り込むこととなる。これにより、窓パネルユニット７１の周縁部と溝部７５との位置合わせが良好に行われる。
【００４６】
前扉枠１４の説明に戻り、当該前扉枠１４において窓部７４の周囲には、図１に示すように、各種ランプ部等の発光手段が設けられている。各種ランプ部の一部として表示ランプ部８１が窓部７４の上方に設けられている。また、表示ランプ部８１の左右両側には、遊技状態に応じた効果音などが出力されるスピーカ部８２が設けられている。
【００４７】
前扉枠１４における窓部７４の下方には、手前側へ膨出した上側膨出部８３と下側膨出部８４とが上下に並設されている。上側膨出部８３内側には上方に開口した上皿８３ａが設けられており、下側膨出部８４内側には同じく上方に開口した下皿８４ａが設けられている。上皿８３ａは、後述する払出装置より払い出された遊技球を一旦貯留し、一列に整列させながら遊技球発射機構４１側へ導くための機能を有する。また、下皿８４ａは、上皿８３ａ内にて余剰となった遊技球を貯留する機能を有する。なお、下皿８４ａの右方においてパチンコ機１０前方に突出させるようにして、上記発射操作装置３１が設けられている。
【００４８】
次に、遊技機本体１２の背面側の構成について説明する。以下の背面側の構成については、図３に加え、図６及び図７を参照しながら説明する。図６は、パチンコ機１０の背面図である。また、図７（ａ）は裏パックユニット１５の後方から見た斜視図であり、図７（ｂ）は裏パックユニット１５の前方から見た斜視図である。
【００４９】
図３に示すように、中間ユニット１３（具体的には、遊技盤２３）の背面には、遊技の主たる制御を司る主制御装置９１と、図柄表示装置６２の表示制御を司る表示制御装置９２と、音声やランプ表示の制御及び表示制御装置９２の制御を司る音声発光制御装置９３と、が搭載されている。
【００５０】
なお、主制御装置９１の基板ボックス９１ａに対して、その開放の痕跡を残すための痕跡手段を付与する又はその開放の痕跡を残すための痕跡構造を設けてもよい。当該痕跡手段としては、基板ボックス９１ａを構成する複数のケース体を分離不能に結合するとともにその分離に際して所定部位の破壊を要する結合部（カシメ部）の構成や、引き剥がしに際して粘着層が接着対象に残ることで剥がされたことの痕跡を残す封印シールを複数のケース体間の境界を跨ぐようにして貼り付ける構成が考えられる。また、痕跡構造としては、基板ボックス９１ａを構成する複数のケース体間の境界に対して接着剤を塗布する構成が考えられる。
【００５１】
主制御装置９１の少なくとも一部や音声発光制御装置９３を含めて中間ユニット１３の背面側を覆うようにして、図６に示すように、裏パックユニット１５が設置されている。
【００５２】
裏パックユニット１５は、図７（ａ）及び図７（ｂ）に示すように、透明性を有する合成樹脂により形成された裏パック１０１を備えている。裏パック１０１は、当該裏パック１０１の周縁部を構成する裏ベース部１０２と、当該裏ベース部１０２から後方へ張り出すようにして形成された保護カバー部１０３と、が一体形成されてなる。保護カバー部１０３は左右側面及び上面が閉鎖され且つ下面のみが開放された形状をなし、保護カバー部１０３と、裏ベース部１０２の下部領域１０２ａとの間には前後方向に貫通した開口部１０４が形成されている。
【００５３】
裏パックユニット１５は、既に説明したとおり、中間ユニット１３の背面に対して回動可能に軸支されているが、当該裏パックユニット１５を中間ユニット１３に対して背面側から重ね合わせた状態では、図６に示すように、保護カバー部１０３により音声発光制御装置９３の全体が覆われている。また、主制御装置９１については、その大半が開口部１０４を介して背面側に露出しているが、主制御装置９１の上縁及び左右両縁は保護カバー部１０３により覆われている。また、裏ベース部１０２には、複数のロック部材１０５〜１０８が設けられており、これらロック部材１０５〜１０８を手動操作してロック状態とすることで、上記のように音声発光制御装置９３や主制御装置９１を覆った状態で裏パックユニット１５が回動不能とされている。
【００５４】
複数のロック部材１０５〜１０８について詳細には、これらロック部材１０５〜１０８は、ロック状態と解除状態との間での手動操作がパチンコ機１０背面側から行われるものと、中間ユニット１３の前面側から行われるものとに大別される。前者のものとしては、図６に示すように、裏ベース部１０２の上部領域１０２ｂの後面における回動基端寄りの位置（ロック部材１０５）と、裏ベース部１０２の下部領域１０２ａの後面における回動先端寄りの位置（ロック部材１０６）とに、それぞれ１個ずつ設けられている。後者のものとしては、図７（ｂ）に示すように、裏ベース部１０２の上部領域１０２ｂの前面における回動先端寄りの位置（ロック部材１０７）と、裏ベース部１０２の下部領域１０２ａの前面における中央寄りの位置（ロック部材１０８）とに、それぞれ１個ずつ設けられている。
【００５５】
中間ユニット１３の前面側から手動操作されるロック部材１０７，１０８について詳細には、これらロック部材１０７，１０８は前後方向を回動軸として裏ベース部１０２に回動可能に軸支されており、さらに各操作部１０７ａ，１０８ａは中間ユニット１３側に突出している。樹脂ベース２１には、これらロック部材１０７，１０８に対応させて、前後方向に貫通する貫通孔１０９ａ，１０９ｂが形成されており（図４参照）、裏パックユニット１５を中間ユニット１３に重ね合わせた状態において各ロック部材１０７，１０８の操作部１０７ａ，１０８ａは中間ユニット１３の前面側に露出するとともに、中間ユニット１３の前面側からロック部材１０７，１０８の回動操作が可能となっている。但し、これらロック部材１０７，１０８は、前扉枠１４を中間ユニット１３に対して閉鎖した状態において前扉枠１４により覆われ、前扉枠１４を開放状態としない限り、操作不能となっている。
【００５６】
このように中間ユニット１３の前面側からの手動操作を要するロック部材１０７，１０８が設けられていることにより、遊技機本体１２の背面を露出させたとしても前扉枠１４を開いた状態としない限り、中間ユニット１３に対する裏パックユニット１５のロック状態を解除することができない。よって、主制御装置９１などを不正に取り外そうとする行為が行いづらくなる。
【００５７】
なお、図７（ｂ）に示すように、裏パック１０１におけるパチンコ機１０前方へと開放された開口の周縁部において、中間ユニット１３に回動支持させるための上側軸金具１１１の上方位置には、中間ユニット１３と裏パック１０１との隙間を狭くする又は閉塞するための閉塞カバー１１２が設けられている。これにより、当該上方位置から中間ユニット１３の背面に不正用治具を挿入しようとしても、その行為が行いづらくなっている。ちなみに、裏パックユニット１５には図示しないアース線が設けられているが、上記閉塞カバー１１２と裏ベース部１０２との間には当該アース線の一部を収容するための収容空間が形成されている。
【００５８】
裏パックユニット１５は、図７（ａ）に示すように、上記裏パック１０１の他に、保護カバー部１０３を迂回するようにして裏ベース部１０２に取り付けられている払出ユニット１１３と、裏ベース部１０２の上部領域１０２ｂであって回動基端側の隅部に設けられた外部端子板１１４と、裏ベース部１０２の下部領域１０２ａに取り付けられた各種基板装置１１６〜１１８と、を備えている。これらのうち、払出ユニット１１３は、上皿８３ａや下皿８４ａに向けた遊技球の払い出しを行うためのものであるが、詳細な構成は後に説明する。
【００５９】
外部端子板１１４は、パチンコ機１０の状態を遊技ホールの管理コンピュータに認識させるために、所定の信号出力を行うための基板である。外部端子板１１４には、図６に示すように、各出力端子１１５として、開閉実行モード中に信号出力するための出力端子、下作動口５４の電動役物５４ａが高頻度で開放状態となる高頻度サポートモード中に信号出力するための出力端子、払出ユニット１１３において遊技球が不足した場合に信号出力するための出力端子、所定個数の賞球を払い出す毎に信号出力するための出力端子、所定個数の遊技球を貸し出す毎に信号出力するための出力端子、中間ユニット１３の開放時に信号出力するための出力端子、及び前扉枠１４の開放時に信号出力するための出力端子などが設けられている。
【００６０】
出力信号の種類に対応した各出力端子１１５は、主制御装置９１などといったパチンコ機１０側の制御装置からの信号線が接続される端子と、遊技ホールの管理コンピュータへと続く信号線が接続される端子とを上下一対として備えており、各出力端子１１５は横方向に並設されている。この場合に、各出力端子１１５には、対応する信号線を外部端子板１１４に接続させるために操作される操作部が設けられているが、それら操作部は、横方向に隣り合う出力端子１１５間で、外部端子板１１４の基板面に対するパチンコ機１０後方への突出量が相違している。具体的には、それぞれ１個の出力端子１１５を挟んで隣り合う各出力端子１１５は、それら出力端子１１５間に設けられた各出力端子１１５に比べて操作部はパチンコ機１０後方へ突出している。これにより、横方向に並設された出力端子１１５間の距離を狭めたとしても、各出力端子１１５に信号線を接続するための操作性が低下してしまうことが抑制される。
【００６１】
各種基板装置として、払出ユニット１１３を通じた遊技球の払い出しを制御するための払出制御装置１１６と、各種制御装置等で要する所定の電力が生成されて出力される電源装置１１７と、パチンコ機１０の側方に並設されることとなる図示しない球貸装置と電気的な接続を行うための球貸用接続端子板１１８と、が設けられている。これらのうち、払出制御装置１１６と電源装置１１７とは、払出制御装置１１６がパチンコ機１０後方となるように前後に重ねて配置されている。また、球貸用接続端子板１１８は、払出制御装置１１６及び電源装置１１７の一体物に対して、裏パックユニット１５の回動基端側の位置に設けられている。
【００６２】
払出制御装置１１６において基板を収容するために設けられた透明性を有する基板ボックス１１６ａには、その開放に際して痕跡を残す痕跡手段としてカシメ部が設けられている。この場合に、当該カシメ部は解除操作を一度行うと再結合を不可とするものであり、結果的に払出制御装置１１６の基板ボックス１１６ａは一度開放操作を行うと、再度封印状態とすることが不可となっている。また、電源装置１１７には、電源スイッチ機能が付与されており、電圧変換器を介して例えば交流２４ボルトの主電源が供給され、電源スイッチ１１７ａの切換操作により電源ＯＮ又は電源ＯＦＦとされるようになっている。
【００６３】
払出制御装置１１６、電源装置１１７及び球貸用接続端子板１１８の搭載領域を構成する裏ベース部１０２の下部領域１０２ａは、遊技領域２３ａを流下していずれかの開口を介して遊技盤２３の背面へと導かれた遊技球を遊技ホールの島設備に排出するための機能も有している。具体的には、図７（ｂ）に示すように、下部領域１０２ａにおいて中間ユニット１３の背面側と対向する領域に、板部１１９が一体形成されており、当該板部１１９により排出通路１１９ａが形成されている。
【００６４】
なお、当該板部１１９では遊技盤２３側から落下してきた遊技球を下方から受けられることとなるが、その落下球を受ける際の強度を高めるために板部１１９にはその下面から下方へと突出する図示しないリブが一体形成されている。この場合、当該リブは、当該板部１１９に対して垂直に延びるように形成されている。
【００６５】
＜発射制御装置１２１＞
次に、上記下部領域１０２ａのパチンコ機１０前方に配置される発射制御装置１２１について、図７に加えて図８〜図１１を参照しながら説明する。
【００６６】
図８は遊技盤２３を取り外した状態における中間ユニット１３の背面図である。また、図９（ａ）は発射制御装置１２１の正面図であり、図９（ｂ）は発射制御装置１２１の縦断面図である。また、図１０（ａ），（ｂ）は中間ユニット１３の背面において発射制御装置１２１が取り付けられる周辺を拡大して示す斜視図であり、図１０（ａ）は発射制御装置１２１が取り付けられている状態を示し、図１０（ｂ）は発射制御装置１２１が取り外された状態を示している。また、図１１は発射制御装置１２１が設けられた領域及びその周辺の縦断面図である。なお、図１１では前扉枠１４を省略している。
【００６７】
図８に示すように、発射制御装置１２１は樹脂ベース２１の背面に固定されている。発射制御装置１２１は、図９（ｂ）に示すように、発射操作装置３１の操作に基づき遊技球発射機構４１を駆動制御するための発射制御基板１２２が発射用基板ボックス１２３に収容されてなる。発射制御基板１２２には、発射制御を行うための発射用ＩＣ１２４ａ、及び遊技球発射機構４１に駆動信号を出力するためのコンデンサ１２４ｂといった各種素子や、外部の機器と電気的な接続を行うためのコネクタ１２５ａ〜１２５ｅが搭載されている。これら各種素子やコネクタ１２５ａ〜１２５ｅは全て同一の板面上に搭載されており、その逆側の板面にて半田付けされている。つまり、発射制御基板１２２は、一方の板面が素子搭載面１２２ａとなっており、その逆側の板面が半田面１２２ｂとなっている。なお、半田面１２２ｂとは、素子搭載面１２２ａに搭載される各種素子の半田付け部分が存在する面であるが、当該半田面１２２ｂに対して回路パターンが形成されていてもよい。
【００６８】
発射用基板ボックス１２３は、複数のケース体として、表ケース体（ボックスカバー）１３１と、裏ケース体（ボックスベース）１３２とを備えている。これら表ケース体１３１及び裏ケース体１３２は、発射用基板ボックス１２３内に収容された発射制御基板１２２の素子搭載面１２２ａ及び半田面１２２ｂを発射用基板ボックス１２３外から視認可能なように透明性を有する材料により形成されている。具体的には、無色透明のポリカーボネート樹脂により形成されているが、これに限定されることはなく、アクリル樹脂等であってもよい。
【００６９】
表ケース体１３１及び裏ケース体１３２が組み合わされることにより、発射用基板ボックス１２３は箱状に形成されており、所定の内部空間を有している。詳細には、表ケース体１３１は、図９（ａ）及び図９（ｂ）に示すように、表側周縁部１３３と、当該表側周縁部１３３から一方に膨出するようにして形成された膨出部１３４とが一体形成されている。これら表側周縁部１３３と膨出部１３４とにより、表ケース体１３１は膨出部１３４の膨出側とは反対側に開放された形状をなしている。
【００７０】
表ケース体１３１において背面側へと開放された領域を閉塞するようにして、且つ素子搭載面１２２ａに搭載された各種素子のうち、背の高い素子が膨出部１３４内に入り込むようにして発射制御基板１２２が配置されており、さらに当該発射制御基板１２２の周縁部を表ケース体１３１とともに挟持するようにして裏ケース体１３２が取り付けられている。そして、その状態で表ケース体１３１の周縁部に形成された係止受け部に対して、裏ケース体１３２の周縁部に形成された係止部を引掛けて両者が係合されていることにより、両ケース体１３１，１３２の分離が規制されている。
【００７１】
当該係合は、係合解除用の工具を利用することなく上記係止部を指などで撓み変形させることで解除可能となっており、当該解除に際して表ケース体１３１や裏ケース体１３２の破壊を要しない構成となっている。但し、これに限定されることはなく、両ケース体１３１，１３２がネジ固定されている構成としてもよく、発射用基板ボックス１２３の内部空間の開放に際して所定の部位の破壊を要する構成としてもよく、発射用基板ボックス１２３の内部空間の開放に際してその痕跡が残る構成としてもよい。
【００７２】
発射制御基板１２２のコネクタ１２５ａ〜１２５ｅは、既に説明したとおり、全て素子搭載面１２２ａに設けられているが、これら各コネクタ１２５ａ〜１２５ｅは、図９（ａ）に示すように、表ケース体１３１において各コネクタ１２５ａ〜１２５ｅに１対１で対応させて形成された貫通孔１３５ａ〜１３５ｅを介して発射用基板ボックス１２３の外部に露出している。
【００７３】
発射制御装置１２１は、図１０（ａ）及び図１０（ｂ）に示すように、裏ケース体１３２の表面を中間ユニット１３の樹脂ベース２１における下枠領域１４１の背面に対向させた状態で、当該下枠領域１４１に固定されている。この固定に関して具体的には、図９（ａ）に示すように、表ケース体１３１の左右の側面にはそれぞれ側方へと突出させて係止部としての引掛け部１３６ａ，１３６ｂが一体形成されている。また、これら引掛け部１３６ａ，１３６ｂに対応させて下枠領域１４１の背面には係止受け部としての引掛け受け部１４２ａ，１４２ｂが一体形成されている。そして、発射制御装置１２１を下枠領域１４１に固定する際には、一方の引掛け部１３６ａを対応する引掛け受け部１４２ａに引掛けた状態で、裏ケース体１３２を下枠領域１４１の背面に重ね合わせるように発射制御装置１２１を配置することで、他方の引掛け部１３６ｂが対応する引掛け受け部１４２ｂに引掛けられた状態となる。また、他方の引掛け部１３６ｂは発射制御装置１２１の設置状態であっても外力を加えることで撓み変形可能となっており、当該引掛け部１３６ｂを撓み変形させた状態で発射制御装置１２１を下枠領域１４１から分離方向に移動させることで、所定の工具や所定の部位の破壊を要することなく発射制御装置１２１を取り外すことが可能である。
【００７４】
ちなみに、図９（ｂ）に示すように、裏ケース体１３２には樹脂ベース２１側に突出するようにして変位規制突起１３７が一体形成されており、当該変位規制突起１３７に対応させて樹脂ベース２１の下枠領域１４１には変位規制穴１４３が形成されている。そして、発射制御装置１２１が下枠領域１４１に固定された状態において、発射制御装置１２１を下枠領域１４１に沿って変位させようとしても、それが変位規制突起１３７と変位規制穴１４３との当接により規制される。なお、変位規制突起１３７を樹脂ベース２１に形成するとともに、変位規制穴１４３を裏ケース体１３２に形成してもよい。
【００７５】
発射制御装置１２１が搭載された位置は、図１０（ａ）及び図１０（ｂ）に示すように、中間ユニット１３の回動先端側であって、樹脂ベース２１の下枠領域１４１において遊技球発射機構４１が設けられた領域の背面側の領域となっている。つまり、発射制御装置１２１は遊技球発射機構４１に対して樹脂ベース２１を挟んで前後に並んでいる。
【００７６】
また、発射制御装置１２１が設けられた位置は、樹脂ベース２１において遊技盤２３を下方から支えるための段差板部１４４に対して、発射制御装置１２１の上面１２３ａがその下方にて隣接する位置となっている。より詳細には、樹脂ベース２１の背面において段差板部１４４の下方には、段差板部１４４にて遊技盤２３の重量を受けている状態での下枠領域１４１の強度を向上させるために、金属プレート１４５が横方向に延在するようにして配置されているが、発射制御装置１２１はその上側部分が金属プレート１４５における横方向の一部の領域に対してパチンコ機１０後方から重なるように配置されている。そして、発射制御装置１２１は下枠領域１４１から後方に突出しており、段差板部１４４よりも後方であって若干下方の位置に発射制御装置１２１の上面１２３ａが存在している状態となっている。
【００７７】
ここで、遊技盤２３の装着は、樹脂ベース２１の後方から段差板部１４４上に遊技盤２３の底面を載せた状態で、樹脂ベース２１に設けられた固定具１４６を固定位置に配置することで行われている。この場合に、遊技盤２３の装着作業や取り外し作業に際して、遊技盤２３が発射制御装置１２１の上面１２３ａに載ることが想定される。これに対して、発射制御装置１２１の上面１２３ａには、補強手段又は補強構造として、上方に突出させて補強リブ１３８が一体形成されており、当該補強リブ１３８は横方向に複数設けられている。これにより、遊技盤２３が発射制御装置１２１に対してその上方から載ったとしても、発射用基板ボックス１２３が破損してしまうことが抑制されている。
【００７８】
発射制御装置１２１が下枠領域１４１に搭載された状態では、表ケース体１３１の表面１３１ａがパチンコ機１０後方を向くこととなる。この表面１３１ａには、中間ユニット１３に対して裏パックユニット１５を閉鎖している状態において、当該裏パックユニット１５の裏パック１０１における下部領域１０２ａがパチンコ機１０後方から重なり合うこととなる。
【００７９】
具体的には、図７（ｂ）に示すように、裏パック１０１の下部領域１０２ａにおいて発射制御装置１２１と対向する領域は、下部領域１０２ａの周囲の領域に比べてパチンコ機１０後方へと凹んでおり、この凹んだ領域が発射制御装置１２１との重ね合わせ領域１５１となっている。そして、裏パックユニット１５が中間ユニット１３に対して閉鎖状態となっている場合には、図１１に示すように、発射制御装置１２１が重ね合わせ領域１５１内に入り込み、重ね合わせ領域１５１の凹み先の面と発射制御装置１２１の表面１３１ａとは隣接した位置にて前後に対向することとなる。これにより、裏パックユニット１５を中間ユニット１３に対して開放状態としない限り、発射制御装置１２１を樹脂ベース２１から取り外すことが困難なものとなっている。
【００８０】
発射制御装置１２１が樹脂ベース２１の下枠領域１４１と裏パック１０１の下部領域１０２ａとにより前後に挟み込まれる構成において、発射制御装置１２１は樹脂ベース２１よりもパチンコ機１０前方に設けられた機器に対して電気的に接続されているとともに、裏パック１０１よりもパチンコ機１０後方に設けられた機器に対して電気的に接続されている。以下、この電気的な接続に係る構成について説明する。
【００８１】
既に説明したとおり、発射制御基板１２２の素子搭載面１２２ａには複数のコネクタ１２５ａ〜１２５ｅが設けられているとともに、これら各コネクタ１２５ａ〜１２５ｅは貫通孔１３５ａ〜１３５ｅを介して発射用基板ボックス１２３の外部に露出している。これら各コネクタ１２５ａ〜１２５ｅは全て、図９（ａ）に示すように、表ケース体１３１においてパチンコ機１０後方を向く表面１３１ａであって当該表面１３１ａの外縁寄りの位置に配置されている。但し、当該表面１３１ａの一辺に対して全てのコネクタ１２５ａ〜１２５ｅが沿わせて配置されているのではなく、一部のコネクタ１２５ａ〜１２５ｄは所定の一辺に沿わせて配置されており、残りのコネクタ１２５ｅは他の一辺側に設けられている。
【００８２】
先ず、前者のコネクタ１２５ａ〜１２５ｄ及びそれに接続される電気配線１５２ａ〜１５２ｅについて説明する。なお、以下の説明において、電気配線は、接続先コネクタからの離脱を手動操作により可能とするコネクタが複数の配線の両端においてそれら配線を集約するようにして設けられたコネクタユニットを含む。
【００８３】
発射操作装置３１に設けられたタッチセンサ３５、発射止めスイッチ３６及び可変抵抗器３４のそれぞれからの信号を送信するための電気配線１５２ｂ，１５２ｃが接続されているコネクタ１２５ｂ，１２５ｃと、遊技球発射機構４１を構成するソレノイド４２及び球送り装置４４のそれぞれへと駆動信号を送信するための電気配線１５２ａ，１５２ｄが接続されているコネクタ１２５ａ，１２５ｄとは、表ケース体１３１の表面１３１ａにおける上辺寄りの位置において当該上辺に沿わせて横方向に並設されている。これら上辺寄りの位置のコネクタ１２５ａ〜１２５ｄに接続される電気配線１５２ａ〜１５２ｄは、表ケース体１３１において膨出部１３４の側面を利用して形成された集約部１５３により束ねられた状態で簡易的に拘束されながら、発射制御装置１２１の下端部へと導かれる。そして、下端部から樹脂ベース２１の前方へと導かれる。
【００８４】
この場合、樹脂ベース２１の下枠領域１４１には、図４及び図１０（ｂ）に示すように、前後方向に貫通する挿通孔１５４，１５５が複数形成されている。これら挿通孔１５４，１５５のうち一方の挿通孔１５４は、図１０（ｂ）に示すように、遊技球発射機構４１のソレノイド４２に対してパチンコ機１０後方にて対向する領域に形成されており、ソレノイド４２へと通じる電気配線１５２ａ及び球送り装置４４へと通じる電気配線１５２ｄは当該挿通孔１５４を通じて樹脂ベース２１の前方へと導かれ、それぞれ対応する側に接続されている。なお、図１１においては、ソレノイド４２へと通じる電気配線１５２ａが挿通孔１５４を介してソレノイド４２に接続されている様子を示す。
【００８５】
他方の挿通孔１５５は、図４に示すように、樹脂ベース２１の下枠領域１４１においてソレノイド４２よりも下方の位置に形成されており、この位置は下枠領域１４１の底部１４１ａに隣接した位置となっている。また、当該底部１４１ａには挿通孔１５５の横方の位置に、横方向に延びるとともに前方に開放された集約溝部１５６が形成されている。タッチセンサ３５、発射止めスイッチ３６及び可変抵抗器３４のそれぞれからの信号を送信するための電気配線１５２ｂ，１５２ｃは、挿通孔１５５を通じて樹脂ベース２１の前方へと導かれ、さらに集約溝部１５６に集約された状態で中間ユニット１３の回動基端側へと導かれる。そして、下枠領域１４１の回動基端側に設けられた中継基板１５７に接続されている。この中継基板１５７にはタッチセンサ３５、発射止めスイッチ３６及び可変抵抗器３４のそれぞれから延びる図示しない電気配線が接続されているため、中継基板１５７を介して発射制御装置１２１がタッチセンサ３５、発射止めスイッチ３６及び可変抵抗器３４と電気的に接続されている。なお、図１１においては、タッチセンサ３５側へと延びる電気配線１５２ｂが挿通孔１５５を介して樹脂ベース２１の前方へと導かれている様子を示す。
【００８６】
以上のように樹脂ベース２１よりも前方に設けられた機器との間で発射制御装置１２１を電気的に接続するための電気配線１５２ａ〜１５２ｄを、樹脂ベース２１の側部を回り込むようにして引き回すのではなく、各挿通孔１５４，１５５を介して樹脂ベース２１の前方に導くことで、中間ユニット１３の回動操作に際して当該電気配線１５２ａ〜１５２ｄが中間ユニット１３と外枠１１との間に噛み込まれてしまうことを防止できる。
【００８７】
各電器配線１５２ａ〜１５２ｄを樹脂ベース２１の前方に導くための挿通孔１５４，１５５が形成された位置は、図１１に示すように、発射制御装置１２１の裏ケース体１３２と対向する領域となっている。つまり、挿通孔１５４，１５５は樹脂ベース２１の背面にて露出していない。これにより、挿通孔１５４，１５５を介して、樹脂ベース２１の前方から樹脂ベース２１の後方へ不正用治具を挿入しようとする行為や、樹脂ベース２１の後方から樹脂ベース２１の前方へ不正用治具を挿入しようとする行為が行いづらくなっている。また、かかる挿入作業の困難性は、挿通孔１５４，１５５のそれぞれを電気配線１５２ａ〜１５２ｄが複数挿通されていることからも奏される。さらにまた、一方の挿通孔１５４はソレノイド４２に対してその後方にて対向する領域に形成されているため、当該挿通孔１５４を通じた不正用治具の挿入作業はより行いづらくなっている。
【００８８】
次に、発射制御装置１２１に設けられた各コネクタ１２５ａ〜１２５ｅのうち残りのコネクタ１２５ｅ及びそれに接続される電気配線１５２ｅについて説明する。
【００８９】
残りのコネクタ１２５ｅは、図９（ａ）に示すように、表ケース体１３１の表面１３１ａにおいて下辺寄りの位置に配置されている。このコネクタ１２５ｅには、特定基板として裏パックユニット１５に設けられた電源装置１１７との間で通信を行うための特定配線として、電気配線１５２ｅが接続されている。
【００９０】
ここで、発射制御装置１２１は、タッチセンサ３５及び発射止めスイッチ３６から入力している信号が遊技者による発射操作が行われている状態であることに対応した信号であって、他の要因による発射停止状況ではないことを条件として、条件成立信号を出力する。この条件成立信号は最終的に主制御装置９１にて受信され、主制御装置９１では当該条件成立信号を受信している場合、遊技球の発射を停止すべき異常がパチンコ機１０にて発生していないことを条件として発射許可信号を出力する。そして、発射制御装置１２１では、発射許可信号を受信していることを条件として、遊技球の発射用の駆動信号を遊技球発射機構４１に対して出力する。
【００９１】
上記のように信号の通信が行われる構成において、発射制御装置１２１は、同じく中間ユニット１３に設けられた主制御装置９１に対して電気的な接続が直接行われているのではなく、上記条件成立信号の送信及び上記発射許可信号の受信は、裏パックユニット１５に設けられた電源装置１１７を介して行われている。これにより、主制御装置９１において他の機器から信号を受信するためのコネクタの数を減らすことが可能となる。
【００９２】
つまり、電源装置１１７は、既に説明したとおり、主制御装置９１を含めて各種制御装置が動作するために必要な動作電力を供給する機能を有しているため、主制御装置９１との間で電気的な接続が行われることが必須である。この場合に、発射制御装置１２１において条件成立信号の送信及び発射許可信号の受信を行うための電気配線１５２ｅは、先ず電源装置１１７に接続することで、条件成立信号及び発射許可信号を伝送させるための電気配線は上記動作電力の供給を行うための電気配線とともに主制御装置９１に接続することが可能となる。具体的には、図６に示すように、電源装置１１７に設けられたコネクタ１１７ａと、主制御装置９１に設けられたコネクタ９１ｂとを電気的に接続するコネクタユニット１７５に、条件成立信号を伝送させるための電気配線、発射許可信号を伝送させるための電気配線、及び動作電力の供給を行うための電気配線が含まれている。ちなみに、コネクタユニット１７５は、複数の電気配線の一端にそれら電気配線が接続される単一のコネクタと、複数の電気配線の他端にそれら電気配線が接続される単一のコネクタと、を有するものである。以上のように電気的な接続を行うことにより、主制御装置９１において他の機器からの信号を受信するためのコネクタの数を減らすことが可能となる。よって、メンテナンスに際して主制御装置９１を取り外す場合や、遊技盤２３の交換を行う際に、取り外し操作が必要となるコネクタの数が抑えられ、当該作業の作業性を向上させることが可能となる。
【００９３】
電源装置１１７との間で通信を行うための電気配線１５２ｅが接続されるコネクタ１２５ｅの位置について詳細に説明する。
【００９４】
既に説明したとおり、発射制御装置１２１の表ケース体１３１の表面１３１ａには裏パック１０１の重ね合わせ領域１５１がパチンコ機１０後方から重なり合うこととなるが、図１１に示すように、発射制御装置１２１の下端部の高さ位置は、下部領域１０２ａの下端部の高さ位置よりも下方となっており、発射制御装置１２１の表面１３１ａの下端寄りの領域は下部領域１０２ａにより覆われていない。この覆われていない下端寄りの領域に対して上記コネクタ１２５ｅ（以下、下側コネクタ１２５ｅともいう）が配置されている。また、当該下側コネクタ１２５ｅから延びる電気配線１５２ｅは、電源装置１１７に設けられたコネクタ１５８（以下、上側コネクタ１５８ともいう）に接続されるが、当該コネクタ１５８は下側コネクタ１２５ｅよりも上方の位置においてパチンコ機１０背面に露出している。
【００９５】
これら上側コネクタ１５８及び下側コネクタ１２５ｅを電気的に接続するようにして電気配線１５２ｅが接続されている。この場合、当該電気配線１５２ｅは裏パック１０１の底部を下方から回り込むようにして引き回されている。また、当該電気配線１５２ｅの長さ寸法は、上側コネクタ１５８及び下側コネクタ１２５ｅに接続した状態で、最も下方へと撓んだ箇所の高さ位置が、中間ユニット１３の底部よりも上方の位置となるように設定されている。これにより、遊技機本体１２を外枠１１に対して回動させる場合に、遊技機本体１２と外枠１１との間に電気配線１５２ｅが噛み込まれてしまうことが防止されている。
【００９６】
さらにまた、電気配線１５２ｅの長さ寸法は、上側コネクタ１５８及び下側コネクタ１２５ｅに接続した状態で、裏パックユニット１５を中間ユニット１３に対して回動させることが不可となるように設定されている。これにより、裏パックユニット１５を開放させようとする場合には、電気配線１５２ｅの一方のコネクタ１２５ｅ，１５８からの取り外し操作や、電気配線１５２ｅの切断操作を行う必要が生じる。よって、裏パックユニット１５を不正に開放させようとする行為が行いづらくなっている。
【００９７】
特に、裏パックユニット１５の下端部のみを中間ユニット１３に対して後方に変位させて、主制御装置９１に向けた不正用治具の挿入を行い易くしようとする行為が想定される。これに対して、上記のように電気配線１５２ｅが裏パックユニット１５の下端部を回り込むようにして設けられていることにより、裏パックユニット１５の下端部のみを後方に変位させようとしてもそれを行いづらくすることが可能となる。
【００９８】
次に、中間ユニット１３と裏パックユニット１５との隙間を介してパチンコ機１０下方から不正用治具を挿入しようとする行為を抑制可能な構成について説明する。
【００９９】
裏パック１０１の下部領域１０２ａにおいて中間ユニット１３を向く側には、図７（ｂ）に示すように、中間ユニット１３側に起立させて複数の後側リブ１６１が一体形成されている。これにより、パチンコ機１０下方から不正用治具を挿入しようとしても、当該不正用治具がいずれかの後側リブ１６１と当接することで、又は当該不正用治具が複数の後側リブ１６１により区画された空間内に入り込むことで、それ以上の侵入が規制されることが期待される。
【０１００】
上記後側リブ１６１は、下部領域１０２ａの横方向において、発射制御装置１２１に対する重ね合わせ領域１５１以外の領域に対しては略全体に亘って設けられているが、重ね合わせ領域１５１に対しては設けられていない。但し、当該重ね合わせ領域１５１を区画するとともに下方を向くように形成された上側区画面１６２は、図１１に示すように、発射制御装置１２１の上面１２３ａに対してその上方にて対向している。これにより、発射制御装置１２１と重ね合わせ領域１５１との間から不正用治具を上方へと侵入させようとしても、当該不正用治具が上側区画面１６２に当接することで、それ以上の侵入が規制されることが期待される。また、図７（ｂ）に示すように、重ね合わせ領域１５１を区画するとともに横方向の中央側から発射制御装置１２１の側面を向くようにして横側区画面１６３が形成されている。これにより、発射制御装置１２１と重ね合わせ領域１５１との間に不正用治具を挿入するとともに、横方向の中央側から不正用治具をさらに先へと進めようとしても、当該不正用治具が横側区画面１６３に当接することで、それ以上の侵入が規制されることが期待される。
【０１０１】
不正用治具の侵入は、樹脂ベース２１と発射制御装置１２１との間から行われることも想定される。これに対して、図１０（ｂ）に示すように、樹脂ベース２１の下枠領域１４１において発射制御装置１２１と対向する領域には、発射制御装置１２１側に起立させて複数の前側リブ１６４が一体形成されている。これにより、パチンコ機１０下方から不正用治具を挿入しようとしても、当該不正用治具がいずれかの前側リブ１６４と当接することで、又は当該不正用治具が複数の前側リブ１６４により区画された空間内に入り込むことで、それ以上の侵入が規制されることが期待される。
【０１０２】
上記のような不正用治具の侵入を抑制する構造は、樹脂ベース２１の段差板部１４４と発射制御装置１２１との位置関係によっても生じている。つまり、発射制御装置１２１の裏ケース体１３２において下枠領域１４１と対向することとなる面には、図９（ｂ）に示すように、その上方寄りの位置に、パチンコ機１０後方への発射制御側の段差部１６５が一体形成されており、当該対向面は、当該段差部１６５によって、上方寄りの領域がそれよりも下方の領域に比べてパチンコ機１０後方へ凹んだ形状となっている。この発射制御側の段差部１６５は上記対向面の横方向の略全体に亘って形成されており、さらに図１１に示すように、樹脂ベース２１の段差板部１４４に対してその下方にて縦方向に対向している。これにより、発射制御装置１２１と樹脂ベース２１との間から不正用治具を上方へと侵入させようとしても当該不正用治具が段差板部１４４に当接し易くなり、当該段差板部１４４に当接することで、それ以上の侵入が規制される。
【０１０３】
ちなみに、中間ユニット１３と裏パックユニット１５との隙間を介した不正用治具の挿入は遊技機本体１２の回動基端側からも想定されるが、図８に示すように、中間ユニット１３において回動基端側の端部には金属プレート１７１が縦方向の略全体に亘って設けられており、上記挿入作業が行いづらくなっている。この場合に、金属プレート１７１と樹脂ベース２１との間には、図８の部分拡大図に示すように、パチンコ機１０前方側に凹ませて溝部１７２が形成されており、中間ユニット１３の縦方向の略全体に亘って形成された当該溝部１７２には中間ユニット１３の下端部から上端部に向けて延びるアース線１７３が挿通されている。これにより、上記金属プレート１７１を利用しながら、アース線１７３の収容領域を形成することが可能となる。
【０１０４】
なお、上記溝部１７２への収容対象はアース線１７３に限定されることはなく、例えば外枠１１の下枠部分といったように下部にスピーカ装置が設けられた構成においては、当該スピーカ装置から繋がる電気配線を中間ユニット１３の上端へと導くために溝部１７２内に収容するようにしてもよい。この場合、前扉枠１４の上部に設けられたスピーカ装置からの電気配線と下部のスピーカ装置からの電気配線とを中間ユニット１３の上端部分で中継基板などを利用して集約し、その集約後のハーネスを音声発光制御装置９３に接続するようにしてもよい。
【０１０５】
＜払出ユニット１１３＞
次に、裏パック１０１に設けられた払出ユニット１１３について詳細に説明する。図１２は払出ユニット１１３の斜視図であり、図１３は払出ユニット１１３の主要な構成部品１８１〜１８５を分解して示す分解斜視図である。
【０１０６】
払出ユニット１１３は、図１２に示すように、遊技ホールの島設備から供給される遊技球が逐次補給されるタンク１８１と、当該タンク１８１に貯留された遊技球を遊技機本体１２の回動基端側へと導くための横通路ユニット１８２と、横通路ユニット１８２により誘導された遊技球を下方へと導くための上流側縦通路ユニット１８３と、当該上流側縦通路ユニット１８３により誘導された遊技球の下流側への流出を阻止又は許容する払出装置１８４と、払出装置１８４により誘導された遊技球を樹脂ベース２１側へと導くための下流側縦通路ユニット１８５と、を備えている。
【０１０７】
タンク１８１は、上方に開放されており、裏パック１０１の最上部に配置されている。また、タンク１８１の横方向の端部は、遊技機本体１２の回動先端寄りの位置に配置されている。島設備から供給されてタンク１８１に貯留されている多数の遊技球は、横通路ユニット１８２、上流側縦通路ユニット１８３及び払出装置１８４に形成された待機通路へと流入することとなる。当該待機通路について詳細には、図１３に示すように、待機通路のうち上流通路領域１９１が横通路ユニット１８２に形成されている。
【０１０８】
上流通路領域１９１は、遊技機本体１２の回動先端側の位置から遊技機本体１２の回動基端側に向けて緩やかに下る傾斜状となっており、横方向に延びている。そして、当該上流通路領域１９１の最上流部はタンク１８１の出口に連通されており、タンク１８１に貯留された遊技球は先ず上流通路領域１９１に流入する。この場合に、上流通路領域１９１はタンク１８１に対して上下に並んでおらず、タンク１８１の上面開口部に対してパチンコ機１０後方にずれた位置に配置されている。これにより、裏パック１０１の内部空間をタンク１８１の真下位置まで拡張することが可能となる。
【０１０９】
横通路ユニット１８２の通路形成部１９２には、図１３に示すように、その底面から上方に起立するようにして仕切壁１９３が一体形成されており、当該仕切壁１９３は、通路方向の途中位置から上流通路領域１９１の最下流部に亘って形成されている。これにより、上流通路領域１９１は、その途中位置から複数、具体的には２条の通路に分岐しており、それら分岐通路は横通路ユニット１８２においては仕切壁１９３を挟んで前後に並んでいる。以下、一方の上流通路領域１９１を第１上流通路領域１９１ａと称するとともに、他方の上流通路領域１９１を第２上流通路領域１９１ｂと称する。また、第１上流通路領域１９１ａを含む待機通路を第１待機通路と称するとともに、第２上流通路領域１９１ｂを含む待機通路を第２待機通路と称する。
【０１１０】
なお、横通路ユニット１８２の底部には上流通路領域１９１ａ，１９１ｂ内に異物が留まらないようにするための開口部１９４が形成されているが、当該開口部１９４を通じた異物の排出を良好に行えるようにするために、図６に示すように、保護カバー部１０３の上面に対して横通路ユニット１８２の底面は上方に離間されている。
【０１１１】
横通路ユニット１８２において通路形成部１９２は、上流通路領域１９１ａ，１９１ｂを上方に開放するようにして溝状に形成されているが、横通路ユニット１８２には、図１３に示すように、タンク１８１の出口に連通された箇所から通路方向の途中位置まで、具体的にはタンク１８１と前後に並ぶ領域に、上流通路領域１９１ａ，１９１ｂを上方へ開放させないようにするための天井カバー１９５が設けられている。これにより、上流通路領域１９１ａ，１９１ｂがタンク１８１に対してパチンコ機１０後方にずらした位置に形成された構成において、上流通路領域１９１ａ，１９１ｂ内に島設備側の補給機のレバーが入り込んでしまうことが防止されている。なお、天井カバー１９５は、横通路ユニット１８２の上方から上流通路領域１９１ａ，１９１ｂ内を視認可能とするように無色透明の合成樹脂により形成されている。
【０１１２】
前後に並設された上流通路領域１９１ａ，１９１ｂにおいて天井カバー１９５が設けられた位置よりも下流側には、上流通路領域１９１ａ，１９１ｂ内において積層される遊技球の数を最大で２個とするための積層規制部材１９６が設けられている。積層規制部材１９６は横通路ユニット１８２において縦方向に起立した一対の通路壁部に対して前後方向を回動軸として回動可能に支持されている。上流通路領域１９１ａ，１９１ｂにて待機する遊技球は、積層規制部材１９６の位置を通過する場合に積層数が最大で２個となるように規制される。
【０１１３】
積層規制部材１９６が設けられた位置よりも下流側であって上流通路領域１９１ａ，１９１ｂの最下流部を構成する領域には、上流通路領域１９１ａ，１９１ｂから下流側へと誘導される遊技球が各待機通路において一列となるように規制する、すなわち上方への遊技球の積層を完全に規制するための整流カバー１９７が設けられている。この整流カバー１９７の詳細な内容については後に説明する。
【０１１４】
上流通路領域１９１ａ，１９１ｂを通過した遊技球は、上流側縦通路ユニット１８３に形成された中間通路領域２０１ａ，２０１ｂに流入する。この中間通路領域２０１ａ，２０１ｂについて、図１４及び図１５を参照しながら詳細に説明する。図１４（ａ）は上流側縦通路ユニット１８３の正面図であり、図１４（ｂ）は上流側縦通路ユニット１８３の側面図であり、図１５は上流側縦通路ユニット１８３の分解斜視図である。
【０１１５】
中間通路領域２０１ａ，２０１ｂは上流通路領域１９１ａ，１９１ｂと同様に、複数並設されている。具体的には、第１待機通路を構成するとともに第１上流通路領域１９１ａに対して下流側にて連続する第１中間通路領域２０１ａと、第２待機通路を構成するとともに第２上流通路領域１９１ｂに対して下流側にて連続する第２中間通路領域２０１ｂとが上流側縦通路ユニット１８３のハウジング２０２に形成されている。これら第１中間通路領域２０１ａ及び第２中間通路領域２０１ｂは、図１５に示すように、相互に対向する側に向けて通路壁が起立させて一体形成された表側ハウジング部材２０３及び裏側ハウジング部材２０４が、中間板部２０５を間に挟むようにして前後に重ね合わされてネジ固定されていることで形成されている。また、第１中間通路領域２０１ａ及び第２中間通路領域２０１ｂの入口部分は、表側ハウジング部材２０３及び裏側ハウジング部材２０４が組み合わされてなるハウジングの上端部分において横向きに形成されており、さらには前後に並設されている。
【０１１６】
第１中間通路領域２０１ａ及び第２中間通路領域２０１ｂはいずれも、遊技球を一列に並べた状態で下流側へと誘導するように通路断面の面積が設定されている。また、第１中間通路領域２０１ａ及び第２中間通路領域２０１ｂは、図１４（ａ）に示すように、その通路方向の途中位置までは、上流通路領域１９１ａ，１９１ｂと同様に前後に並設されている。各中間通路領域２０１ａ，２０１ｂにおいて前後に並設された部分には複数の曲がり部が形成されており、その曲がり部を構成する通路壁と遊技球との当接により、中間通路領域２０１ａ，２０１ｂ内において待機する遊技球の減圧が行われている。
【０１１７】
中間通路領域２０１ａ，２０１ｂにおいて前後に並設された部分には、各待機通路内の遊技球を島設備側に排出するための排出通路２０６が分岐させて形成されており、さらに当該排出通路２０６への遊技球の流入を阻止又は許容する切換部材２０７が設けられている。切換部材２０７は、図１５に示すように、両中間通路領域２０１ａ，２０１ｂの状態をまとめて切り換え可能に形成されており、さらに当該切換部材２０７の位置は表側ハウジング部材２０３からパチンコ機１０後方へ突出させて形成された球抜きレバー２０８が手動されることで切り換えられる。
【０１１８】
これら切換部材２０７及び球抜きレバー２０８が設けられた位置は、中間通路領域２０１ａ，２０１ｂにおいて前後に並設された部分であるため、回動軸２０７ａ，２０８ａは前後方向に設定されている。また、球抜きレバー２０８の回動軸２０８ａから放射方向に突出させて形成された手動操作部２０８ｂは、回動軸２０８ａにおいて表側ハウジング部材２０３からパチンコ機１０後方に突出した部分から延びており、パチンコ機１０背面から手動操作部２０８ｂを操作し易くなっている。そして、排出通路２０６を通じて遊技球の排出を行うべく手動操作部２０８ｂを操作した場合には、球抜きレバー２０８の押圧部２０８ｃによる切換部材２０７の押圧が解除されて、切換部材２０７が排出阻止位置から排出許容位置へ切換配置される。
【０１１９】
中間通路領域２０１ａ，２０１ｂにおいて前後に並設された部分であって切換部材２０７よりも上流側に球無センサ２０９が設けられている。球無センサ２０９は、図１５に示すように、本体部２０１ｃの一端側に、第１中間通路領域２０１ａ及び第２中間通路領域２０１ｂのそれぞれに対応させて縦方向に貫通する通過部２０９ａ，２０９ｂが形成されており、各待機通路が球無状態であるか否かが個別に検知される。
【０１２０】
通過部２０９ａ，２０９ｂは、中間通路領域２０１ａ，２０１ｂにおいて前後に並設された部分に対応させて前後に並設されており、本体部２０１ｃにおいて図示しないセンサ基板が設けられる領域は、それら通過部２０９ａ，２０９ｂに対して横方向、具体的には遊技機本体１２の回動基端側となる方向に並設されている。そして、各通過部２０９ａ，２０９ｂとは反対側の端部には払出制御装置１１６側に向けて検知結果を送信するための電気配線が接続されるコネクタ２０９ｄが設けられている。上記のように球無センサ２０９が設けられていることにより、本体部２０９ｃにおいて相対的に寸法が大きい方向が横方向となり、前後方向の寸法を抑えることが可能となる。
【０１２１】
ちなみに、球無センサ２０９は、表側ハウジング部材２０３と裏側ハウジング部材２０４とにより挟まされた空間内に収容されているため、例えば中間通路領域２０１ａ，２０１ｂ内にて球詰まりが発生した際に球無センサ２０９を強引に引っ張ってその球詰まり状態を解消しようとしても、その引っ張る行為ができなくなっている。
【０１２２】
第１中間通路領域２０１ａと第２中間通路領域２０１ｂとは、図１４（ａ）に示すように、その途中位置から前後方向に並ばなくなる。具体的には、第１中間通路領域２０１ａ及び第２中間通路領域２０１ｂはいずれも、Ｕ字状の曲がり部２０１ｃを有しているが、その下流側において第１中間通路領域２０１ａに比べて第２中間通路領域２０１ｂの方がパチンコ機１０における横方向の中央側に入り込んでいる。つまり、第２中間通路領域２０１ｂには、第１中間通路領域２０１ａに対して通路長を長くするための延長領域２０１ｄが形成されている。この場合、第１中間通路領域２０１ａと第２中間通路領域２０１ｂとは通路の幅方向の寸法分（遊技球１個分（遊技球の直径分）よりも若干大きい幅分）、横方向に離間されている。
【０１２３】
中間通路領域２０１ａ，２０１ｂが横方向に離間され出した部分では、これら第１中間通路領域２０１ａと第２中間通路領域２０１ｂとは前後方向であって横方向に離間された状態となっているが、これら中間通路領域２０１ａ，２０１ｂの最下流部では横方向に並設された状態となる。具体的には、図１４（ｂ）に示すように、相対的にパチンコ機１０後方に位置している第１中間通路領域２０１ａは、パチンコ機１０前方に向けて下る傾斜部２１１ａを通じて最下流部が前方へと変位しているとともに、相対的にパチンコ機１０前方に位置している第２中間通路領域２０１ｂは、パチンコ機１０後方に向けて下る傾斜部２１１ｂを通じて最下流部が後方へと変位している。この場合、第１中間通路領域２０１ａ側の傾斜部２１１ａの方が、第２中間通路領域２０１ｂ側の傾斜部２１１ｂよりも傾斜が緩やかであって傾斜している領域の通路長が長く形成されている。また、各傾斜部２１１ａ，２１１ｂにより、第１待機通路及び第２待機通路の両方について、遊技球の重量負荷が減圧される。
【０１２４】
上記のように中間通路領域２０１ａ，２０１ｂが形成されていることにより、第１待機通路及び第２待機通路は前後方向に並設されていた状態から横方向に並設されている状態へと並設方向が変更されることとなる（遷移することとなる）。これら横方向に並設された中間通路領域２０１ａ，２０１ｂの最下流部を通過した遊技球は、払出装置１８４に形成された下流通路領域２２４ａ，２２４ｂに流入する。払出装置１８４の構成について、図１３に加え図１６を参照しながら詳細に説明する。図１６（ａ）は払出装置１８４において下流通路領域２２４ａ，２２４ｂが形成された部分の横断面図であり、図１６（ｂ）は図１６（ａ）においてＡ―Ａ線部分で示す位置にて切断した払出装置１８４の縦断面図である。
【０１２５】
図１３に示すように、払出装置１８４は、複数の払出ケース２２１ａ〜２２１ｃが組み合わされてなる払出ハウジング２２１を備えている。払出ハウジング２２１には、図１６（ａ）に示すように、中間通路領域２０１ａ，２０１ｂから供給された遊技球を下流側縦通路ユニット１８５へと導くための通路が形成された通路形成部２２２と、当該通路形成部２２２内の遊技球の通過を阻止又は許容する球止め手段を駆動する駆動手段の本体部を収容するための駆動収容部２２３とが形成されており、これら通路形成部２２２及び駆動収容部２２３は横方向に並設されている。
【０１２６】
通路形成部２２２について詳細には、当該通路形成部２２２には、図１６（ａ）及び図１６（ｂ）に示すように、第１待機通路を構成するとともに第１中間通路領域２０１ａに対して下流側に連続する第１下流通路領域２２４ａと、第２待機通路を構成するとともに第２中間通路領域２０１ｂに対して下流側に連続する第２下流通路領域２２４ｂとが、仕切部２２５を間に挟むようにして左右に並設されている。つまり、第１下流通路領域２２４ａ及び第２下流通路領域２２４ｂは、その入口部分が払出ハウジング２２１の上面にて上方に開放されており、その入口部分は、図１６（ａ）に示すように、第１中間通路領域２０１ａ及び第２中間通路領域２０１ｂがその最下流部において横方向に並設されていることに対応させて横方向に並設されている。この場合、各下流通路領域２２４ａ，２２４ｂの入口部分の面積は、対応する中間通路領域２０１ａ，２０１ｂの出口部分の面積と同程度となっており、縦方向、具体的には鉛直方向に重なり合っている。
【０１２７】
第１下流通路領域２２４ａ及び第２下流通路領域２２４ｂは、図１６（ｂ）に示すように、入口部分から縦方向、具体的には鉛直方向に延びており、いずれも遊技球を一列に並べた状態で下流側へと誘導するように通路断面の面積が設定されている。第１下流通路領域２２４ａ及び第２下流通路領域２２４ｂは、通路形成部２２２の縦方向の中間部分に形成された集合領域２２６に連通されている。
【０１２８】
集合領域２２６は、その横方向の寸法が、第１下流通路領域２２４ａを鉛直方向に延長させた範囲、及び第２下流通路領域２２４ｂを鉛直方向に延長させた範囲の全てを含むようにして設定されており、さらに前後方向の寸法が各下流通路領域２２４ａ，２２４ｂの前後方向の寸法よりも大きく設定されている。集合領域２２６には、球止め手段を構成する回転体２３１が設けられている。
【０１２９】
回転体２３１は、図１６（ａ）に示すように、横方向に延びるとともに集合領域２２６の横方向の略全体に亘って配置された回転軸部２３２と、当該回転軸部２３２から放射方向に延びるように一体形成された一対の球止め部２３３，２３４と、を備えている。一対の球止め部２３３，２３４は、所定の間隔を置いて横方向に並設されている。一方の球止め部２３３は第１下流通路領域２２４ａの鉛直方向の先側に配置されており、当該第１下流通路領域２２４ａを含めて第１待機通路において一列に並んだ状態で待機する遊技球の重量を下方から受けて、下流側への遊技球の流出を阻止可能に形成されている。また、他方の球止め部２３４は第２下流通路領域２２４ｂの鉛直方向の先側に配置されており、当該第２下流通路領域２２４ｂを含めて第２待機通路において一列に並んだ状態で待機する遊技球の重量を下方から受けて、下流側への遊技球の流出を阻止可能に形成されている。
【０１３０】
一対の球止め部２３３，２３４が一体形成された回転軸部２３２には、球止め手段を駆動するための駆動手段として設けられた電動アクチュエータである払出モータ２３５の出力軸２３５ａが、回転軸部２３２と同一軸線上に配置されるようにして内挿されて固定されている。これにより、払出モータ２３５の本体部２３５ｂに駆動信号が供給されて出力軸２３５ａが軸周りに回転した場合には一対の球止め部２３３，２３４が軸周りに回転することとなる。
【０１３１】
払出モータ２３５の本体部２３５ｂは、第１下流通路領域２２４ａ及び第２下流通路領域２２４ｂが形成された通路形成部２２２に対して、これら下流通路領域２２４ａ，２２４ｂの並設方向と同一方向に並設された駆動収容部２２３に収容されている。具体的には、駆動収容部２２３は、通路形成部２２２に対して遊技機本体１２の回動基端側に配置されており、この駆動収容部２２３に本体部２３５ｂが収容されている。
【０１３２】
ここで、払出モータ２３５は、複数の待機通路のそれぞれから遊技球の重量負荷を受けている状態で、一対の球止め部２３３，２３４を同時に回転させる駆動力を生じさせる必要があるため、払出モータ２３５の本体部２３５ｂは比較的大型となり、軸方向の寸法はそれに対して直交する方向よりも大きくなる。さらにまた、本体部２３５ｂは、通路形成部２２２に対して、第１下流通路領域２２４ａ及び第２下流通路領域２２４ｂの並設方向に並設する必要がある。そうすると、払出装置１８４は上記並設方向の寸法が、当該並設方向及び高さ方向に直交する方向の寸法に比べて大きくなる。これに対して、第１待機通路及び第２待機通路の途中位置においてこれら待機通路の並設方向を前後方向から横方向に変更したことで、払出装置１８４において第１下流通路領域２２４ａ及び第２下流通路領域２２４ｂが横方向に並設されているとともに、通路形成部２２２に対して駆動収容部２２３は横方向に並設されている。これにより、パチンコ機１０背面において後方に向けて払出装置１８４が張り出してしまうことを抑えながら、払出装置１８４を配置することが可能となる。
【０１３３】
払出装置１８４の通路形成部２２２において集合領域２２６の下方には、図１６（ｂ）に示すように、各球止め部２３３，２３４により下流側へと誘導された遊技球を、下流側縦通路ユニット１８５に形成された通路へと導くための払出通路２３６が形成されている。払出通路２３６は、複数の遊技球を前後方向及び横方向に並べた状態で同時に通過させることを不可とするように、その通路断面の面積が設定されている。
【０１３４】
また、払出通路２３６には、同時に２個の遊技球が導入されない構成となっている。つまり、各球止め部２３３，２３４のそれぞれは、外周部から軸側へと凹ませるようにして所定数、具体的には２個の凹部２３３ａ，２３３ｂ，２３４ａ，２３４ｂを備えており、凹部２３３ａ，２３３ｂ，２３４ａ，２３４ｂに入り込んだ遊技球のみを自身の回転に伴って払出通路２３６へと誘導する構成となっている。この場合に、一方の球止め部２３３に形成された凹部２３３ａ，２３３ｂの回転方向の位置と、他方の球止め部２３４に形成された凹部２３４ａ，２３４ｂの回転方向の位置とが異なるように設定されている。具体的には、各球止め部２３３，２３４において一対の凹部２３３ａ，２３３ｂ，２３４ａ，２３４ｂは１８０度間隔で形成されているとともに、各球止め部２３３，２３４間においては各凹部２３３ａ，２３３ｂ，２３４ａ，２３４ｂが９０度間隔で存在するように形成されている。これにより、払出通路２３６には、回転体２３１の回転に伴って遊技球が１個ずつ導出されることとなる。
【０１３５】
払出通路２３６には、当該払出通路２３６を通過する遊技球を１個ずつ検知するための払出検知センサ２３７の検知領域２３７ａが存在している。当該検知領域２３７ａは払出検知センサ２３７における箱状の本体部２３７ｂの一端に設けられており、当該本体部２３７ｂの他端側には、図１６（ａ）に示すように、コネクタ２３７ｃが設けられている。この本体部２３７ｂにおいてコネクタ２３７ｃが設けられた側は、駆動収容部２２３内に入り込んでおり、当該駆動収容部２２３内に収容されている。
【０１３６】
ちなみに、駆動収容部２２３には払出検知センサ２３７における検知結果を払出制御装置１１６に送信するための信号経路を構成する中継基板２３９が収容されている。この中継基板２３９は、払出モータ２３５への駆動信号を払出制御装置１１６から送信するための信号経路も構成している。
【０１３７】
ここで、図１３に示すように、駆動収容部２２３を構成する払出ケース２２１ｃは、通路形成部２２２を構成する払出ケース２２１ｂに対して、挿通孔２２１ｄを介して、遊技機本体１２の回動基端側からネジ止めされている。また、このネジ止めは、螺着後においてネジ穴が形成された箇所の分離を可能として、螺着に際して利用した工具による固定解除操作を不可とするワンウェイネジ２２１ｅにより行われている。つまり、駆動収容部２２３内の開放を不可又は開放しづらい構成となっている。
【０１３８】
払出検知センサ２３７にて検知された遊技球は、入口部分が上方に向けて開放されているとともに払出通路２３６に連通するようにして形成された下流側縦通路ユニット１８５の誘導通路２３８に導入される。そして、当該誘導通路２３８を通過することで、最終的に上皿８３ａ又は下皿８４ａに排出される。
【０１３９】
次に、払出装置１８４の設置に関する構成について、図１３を参照しながら説明する。
【０１４０】
払出ユニット１１３の各構成部品１８１〜１８５のうち、図１３に示すように、タンク１８１、横通路ユニット１８２、上流側縦通路ユニット１８３及び下流側縦通路ユニット１８５は、裏パック１０１に対して個別に固定されているが、払出装置１８４は個別に裏パック１０１に固定されているのではなく、上流側縦通路ユニット１８３に固定されている。
【０１４１】
詳細には、上流側縦通路ユニット１８３の裏側ハウジング部材２０４は、表側ハウジング部材２０３よりも下方に延長させて延長板部２４１が形成されている。延長板部２４１は、裏側ハウジング部材２０４においてパチンコ機１０前方を向く面から連続する背板部２４２と、裏側ハウジング部材２０４においてパチンコ機１０の中央側を向く面から連続する側板部２４３と、これら背板部２４２及び側板部２４３の下端から連続するとともに上方を向く面を有する底板部２４４とが一体形成されてなる。この延長板部２４１により、パチンコ機１０後方に向けて開放されているとともに、裏パックユニット１５の回動基端側、すなわち遊技機本体１２の回動基端側に向けて開放された払出装置１８４の設置領域２４５が形成されている。
【０１４２】
表側ハウジング部材２０３においてパチンコ機１０後方を向く面であって、設置領域２４５に対して上方にて隣接する箇所には、パチンコ機１０後方に向けて起立させて、払出固定手段の一部を構成する固定用ボス２４６が一体形成されている。当該固定用ボス２４６には、軸線方向が横方向となり且つ遊技機本体１２の回動基端側に向けて開放されたネジ孔２４６ａが形成されている。固定用ボス２４６に対応させて払出装置１８４の払出ハウジング２２１には、その上面から上方に起立させて、上記払出固定手段の一部を構成する固定用フランジ２４７が一体形成されている。固定用フランジ２４７には軸線方向が横方向となるように貫通孔２４７ａが形成されている。
【０１４３】
固定用フランジ２４７は、固定用ボス２４６に対して回動基端側から当接している。また、固定用ボス２４６のネジ孔２４６ａと固定用フランジ２４７の貫通孔２４７ａとが同一軸線上に配置されている。この状態において、上記払出固定手段の一部を構成する固定具としてのネジ２４８が、回動基端側から螺着されていることにより、払出装置１８４が設置領域２４５に固定されている。
【０１４４】
次に、払出装置１８４の設置作業及び取り外し作業について説明する。
【０１４５】
払出装置１８４の設置作業に際しては、先ず、遊技機本体１２を外枠１１に対して回動させた状態で、設置領域２４５に対面する位置から、当該設置領域２４５においてパチンコ機１０後方に開放された後方開放部を介して払出装置１８４を設置領域２４５に配置する。この場合、延長板部２４１には上記のとおり背板部２４２、側板部２４３及び底板部２４４が形成されているため、払出装置１８４を設置領域２４５内に配置した状態で払出装置１８４から手を離しても、払出装置１８４が設置領域２４５に配置された状態が保持される。
【０１４６】
この場合、背板部２４２及び側板部２４３が払出装置１８４の位置決め部として機能し、払出ハウジング２２１の所定の面をそれぞれ背板部２４２及び側板部２４３に当接させることで、固定用ボス２４６に固定用フランジ２４７が回動基端側から当接し、固定用ボス２４６のネジ孔２４６ａと固定用フランジ２４７の貫通孔２４７ａとが同一軸線上に配置された状態となる。この状態において、貫通孔２４７ａを介してネジ孔２４６ａに対して、ネジ２４８を回動基端側から螺着することで、払出装置１８４が設置領域２４５に固定され、当該払出装置１８４の設置作業が完了する。
【０１４７】
上記のように払出装置１８４の設置に際しては、背板部２４２、側板部２４３及び底板部２４４が仮保持部として機能するため、払出装置１８４の固定に際して回動基端側からのネジ２４８の固定操作を行う必要があるとしても、設置作業の作業性を向上させることが可能となる。また、背板部２４２、側板部２４３及び底板部２４４は位置決め部としても機能するため、この点からも、払出装置１８４の固定に際して回動基端側からのネジ２４８の固定操作を行う必要があるとしても、設置作業の作業性を向上させることが可能となる。さらにまた、設置領域２４５はパチンコ機１０後方に向けて開放されており、その開放された部位から設置領域２４５内に払出装置１８４を設置することが可能となっている。この点からも、払出装置１８４の固定に際して回動基端側からのネジ２４８の固定操作を行う必要があるとしても、設置作業の作業性を向上させることが可能となる。
【０１４８】
一方、メンテナンス時といったように払出装置１８４を取り外す必要がある場合には、先ず遊技機本体１２を外枠１１に対して回動させる。この際、払出装置１８４は遊技機本体１２の回動基端側に設けられているとともに当該払出装置１８４を固定するためのネジ２４８の頭部は回動基端側を向いているため、ネジ２４８の頭部へのアクセスを可能とするためには遊技機本体１２を大きく回動させる必要がある。
【０１４９】
その後、ネジ２４８の固定を解除するための工具をネジ２４８に対して回動基端側から近付け、ネジ２４８の固定解除操作を行う。これにより、払出装置１８４を設置領域２４５から取り外すことが可能となる。この場合に、上記のとおり延長板部２４１の背板部２４２、側板部２４３及び底板部２４４が仮保持部として機能するため、払出装置１８４を手で抑えておく必要がない。そして、払出装置１８４に対して裏パックユニット１５の正面側から対峙する位置から払出装置１８４を引き抜くことで、当該払出装置１８４の取り外し作業が完了する。
【０１５０】
上記のように払出装置１８４の取り外しに際しては、回動基端側から固定解除操作を行う必要があるため、払出装置１８４を不正に取り外そうとしても、その行為が行いづらくなっている。特に、回動基端側に払出装置１８４が設けられた構成において回動基端側から固定解除操作を行う必要がある構成としたことにより、払出装置１８４を不正に取り外そうとしても、外枠１１に対して遊技機本体１２を大きく回動させる必要が生じるため、当該不正行為の途中において遊技ホールの管理者がそれを発見し易くなる。
【０１５１】
ちなみに、払出装置１８４を上流側縦通路ユニット１８３に設置する構成としたことにより、払出装置１８４と上流側縦通路ユニット１８３とを個別に裏パック１０１に固定する構成に比べて、位置合わせ精度の向上が図られる。
【０１５２】
次に、横通路ユニット１８２に設けられた整流カバー１９７について、図１７を参照しながら詳細に説明する。
【０１５３】
図１７は、払出ユニット１１３の待機通路において遊技球が待機している状態を示す払出ユニット１１３の縦断面図である。なお、図１７では、第１待機通路及び第２待機通路のうち第１待機通路内の構成を示しているとともに、説明の便宜上、払出装置１８４の切断面は横通路ユニット１８２及び上流側縦通路ユニット１８３の切断面に対して直交する方向の切断面となっている。
【０１５４】
払出装置１８４に設けられた回転体２３１の回転が停止されている状況では、第１球止め部２３３に対して上方から接している遊技球を先頭にした遊技球列が、第１下流通路領域２２４ａ、第１中間通路領域２０１ａ及び第１上流通路領域１９１ａから構成される第１待機通路２５１内に形成される。当該遊技球列は、タンク１８１から続く第１上流通路領域１９１ａにおいて一列に整列される。つまり、既に説明したように、第１上流通路領域１９１ａに対しては、横通路ユニット１８２に対して回動可能に支持された積層規制部材１９６が設けられているとともに、当該積層規制部材１９６の下流側に整流カバー１９７が設けられている。
【０１５５】
積層規制部材１９６では、それよりも上流側において例えば３個以上の遊技球が積層された状態を、積層個数が最大で２個となるように遊技球の整流が行われる。具体的には、積層規制部材１９６は、上端部分を軸支されており、外力が加えられていない自然状態においては、縦断面が円形で曲面上の周面を有する規制部１９６ａが回動軸１９６ｂに対して真下の位置に配置される。この場合、規制部１９６ａと第１上流通路領域１９１ａの底面２５２との間の距離は、遊技球２個分よりも小さい距離であって遊技球１個分（遊技球の直径分）よりも若干大きい程度となっている。これにより、積層規制部材１９６よりも上流側において第１待機通路２５１内の遊技球列に３個分以上の遊技球が積層されていたとしても、規制部１９６ａの重みによる規制力により、積層個数が最大で２個となる。また、規制部１９６ａは２段目の遊技球に下流側から当接し、当該遊技球に対して上流側であって下方に向けた力を付与する。但し、この力は、２段目の遊技球を、１段目の遊技球列において通路方向に連続する遊技球の当接を解除させるほど入り込ませることがない程度となっている。これにより、２段目の遊技球は、１段目において連続する２個の遊技球の両方に対して斜め上方から当接した位置に配置される。
【０１５６】
なお、第２上流通路領域１９１ｂは第１上流通路領域１９１ａと同一の通路形状をなしており、さらに積層規制部材１９６は第１上流通路領域１９１ａ及び第２上流通路領域１９１ｂの両方に亘って形成されている。そして、第１上流通路領域１９１ａの遊技球列に生じるとして説明した積層規制部材１９６の作用は第２上流通路領域１９１ｂの遊技球列に対しても生じる。
【０１５７】
整流カバー１９７は、第１上流通路領域１９１ａの最下流部から連続している遊技球を整流カバー１９７の上方から視認可能とする程度の透明性を有するように、具体的には無色透明となるようにポリカーボネートなどの合成樹脂により形成されている。整流カバー１９７は、第１上流通路領域１９１ａの途中位置、詳細には積層規制部材１９６が設けられた位置よりも下流側から、第１中間通路領域２０１ａとの連通箇所に亘って存在するように設けられている。
【０１５８】
整流カバー１９７の底面２５３は、整流カバー１９７の最上流部から通路方向の途中位置に亘って、第１上流通路領域１９１ａの底面２５２よりも傾斜が大きい下り傾斜となる天井傾斜面として形成された傾斜面２５３ａを備えている。また、整流カバー１９７の底面２５３は、傾斜面２５３ａに対して下流側にて連続するとともに第１上流通路領域１９１ａの底面２５２に対して平行又は略平行となるように形成された連続面２５３ｂと、を備えている。
【０１５９】
連続面２５３ｂと第１上流通路領域１９１ａの底面２５２との間の距離は、遊技球１個分よりも若干大きい程度となっている。その一方、傾斜面２５３ａと第１上流通路領域１９１ａの底面２５２との間の距離は、整流カバー１９７の最上流部において、遊技球２個までの積層は可能とする距離、具体的には、遊技球２個分と同一又はそれよりも若干大きい程度となっている。そして、傾斜面２５３ａは連続面２５３ｂに向けて、当該傾斜面２５３ａと第１上流通路領域１９１ａの底面２５２との間の距離を連続的に減少させるように傾斜させて形成されており、傾斜面２５３ａの最下流部は連続面２５３ｂに連続している。
【０１６０】
上記のように整流カバー１９７が形成されていることにより、第１待機通路２５１内に形成された遊技球列が積層規制部材１９６の下流側において２個の遊技球が積層されていたとしても、その上側に位置する遊技球は遊技球列の下流側への移動に伴って整流カバー１９７の傾斜面２５３ａに上流側から当接する。これにより、当該上側の遊技球の高さ位置が除々に第１上流通路領域１９１ａの底面側へと変位され、最終的に当該上側の遊技球は第１上流通路領域１９１ａの底面２５２上に載ることとなる。よって、第１待機通路２５１内に形成されている遊技球列は、整流カバー１９７の傾斜面２５３ａよりも下流側においては一列に整列された状態となる。
【０１６１】
なお、整流カバー１９７は第１上流通路領域１９１ａ及び第２上流通路領域１９１ｂの両方に亘って形成されており、第１上流通路領域１９１ａの底面２５２に対する傾斜面２５３ａ及び連続面２５３ｂの位置関係は、第２上流通路領域１９１ｂの底面に対する傾斜面２５３ａ及び連続面２５３ｂの位置関係と同一となっている。これにより、第１上流通路領域１９１ａの遊技球列に生じるとして説明した整流カバー１９７の作用は、第２上流通路領域１９１ｂの遊技球列に対しても生じる。
【０１６２】
次に、整流カバー１９７内における球詰まりを生じづらくするための構成について、図１７に加えて、図１８（ａ），（ｂ）を参照しながら説明する。
【０１６３】
図１８（ａ）は、回転体２３１が停止している状況において第１待機通路２５１内の遊技球列における先頭の遊技球Ｂ１（図１７参照）が最も下方に位置する状態（以下、第１の状態という）である。この場合、第１待機通路２５１において傾斜面２５３ａの最上流部よりも下流側の通路長及び当該傾斜面２５３ａの傾きは、第１上流通路領域１９１ａの底面２５２上において通路方向に連続するように一列に整列された遊技球列に積層された２段目であって最も先頭に位置している遊技球Ｂ２が傾斜面２５３ａに対して上流側から接しないように設定されている。
【０１６４】
ちなみに、第１上流通路領域１９１ａ、第１中間通路領域２０１ａ及び第１下流通路領域２２４ａは、上記第１の状態において基本的に１列に整列された遊技球列の各遊技球の位置が概ね同一の位置となるように形成されている。但し、若干の位置ずれが生じ得るが、その位置ずれを加味したとしても、第１の状態では、２段目の遊技球であって最も先頭に位置している遊技球Ｂ２が傾斜面２５３ａに対して上流側から接しないように、上記通路長及び傾斜面２５３ａの傾きが設定されている。また、既に説明したとおり、積層規制部材１９６の作用により、２段目の遊技球は１段目において連続する２個の遊技球の両方に対して斜め上方から当接した位置に配置されるため、１段目の遊技球列を構成する各遊技球の位置が上記のように概ね定まれば、２段目の遊技球の位置も概ね定まる。
【０１６５】
一方、図１８（ｂ）は、回転体２３１が停止している状況において第１待機通路２５１内の遊技球列における先頭の遊技球Ｂ１が最も上方に位置する状態（以下、第２の状態という）である。当該第２の状態では、図１７に示すように、先頭の遊技球Ｂ１の位置は、第１の状態と比べて、遊技球１個分よりも短い分、具体的には、遊技球の半径分、上方の位置となる。そうすると、図１８（ｂ）に示すように、２段目であって最も先頭に位置している遊技球Ｂ２と、傾斜面２５３ａとの間の距離は第１の状態に比べて広くなる。
【０１６６】
但し、このように両者の距離が広くなった構成であっても、２段目であって最も先頭に位置している遊技球Ｂ２と、傾斜面２５３ａとの間の距離は、両者の間に遊技球の入り込みを不可とする距離に設定されている。よって、第２の状態では、図１８（ｂ）に示す状態となる。
【０１６７】
ここで、回転体２３１は、遊技球の払出を実行すべき状態となった際に所定方向の回転（正回転）が開始されて、予め定められた数の遊技球が払い出されたことが払出検知センサ２３７にて検知されたことに基づき停止される。この場合に、回転体２３１を停止させる際には、２段目であって最も先頭に位置している遊技球Ｂ２が傾斜面２５３ａに当接していない回転位置となるように払出制御装置１１６により停止制御される。この停止させる際の回転位置は、パチンコ機１０の設計段階において実験などを通じて定められている。そして、払出モータ２３５がステッピングモータであり、払出制御装置１１６が、出力軸２３５ａの回転位置、すなわち回転体２３１の回転位置をステップ数で制御する構成では、予め定められた回転位置であって、払い出すべき個数を超えた遊技球の払い出しが実行されない範囲で回転体２３１が停止するように、払出制御装置１１６においてステップ数を制御する。
【０１６８】
ちなみに、回転体２３１が１周する度に、それを払出制御装置１１６にて把握できるようにして、その基準回転位置との関係で停止させる際のステップ数が定められている構成としてもよい。この場合、回転体２３１の回転位置が基準回転位置となっていることを払出制御装置１１６にて特定するための検知手段を払出装置１８４に設けることが好ましく、例えば、フォトセンサ及びカット板の一方を回転体２３１に設けるととともに、他方を払出ハウジング２２１において回転体２３１と一体的に回転しない側に設ける構成が考えられる。また、上記予め定められた回転位置は、上記第１の状態となる位置又は上記第２の状態となる位置として定められていてもよく、上記第２の状態となる位置から上記第１の状態となる位置までの間の位置として定められていてもよい。
【０１６９】
次に、回転体２３１の回転が開始された場合における上記２段目の遊技球Ｂ２の動きについて、図１９（ａ）〜図１９（ｃ）を参照しながら説明する。図１９（ａ）〜（ｃ）は２段目の遊技球Ｂ２の動きを説明するための説明図であって、図１９（ａ）→図１９（ｂ）→図１９（ｃ）の順に遊技球列の状態が遷移していくこととなる。
【０１７０】
上記第１の状態で回転体２３１の回転が開始された場合には、図１９（ａ）の状態から遊技球列の下流側に向けた移動が開始される。また、上記第２の状態で回転体２３１の回転が開始された場合には、遊技球列の下流側に向けた移動の過程で、図１９（ａ）の状態となる。
【０１７１】
図１９（ａ）の状態から遊技球列の下流側に向けた移動が継続されることで、図１９（ｂ）に示すように、２段目であって最も先頭の遊技球Ｂ２が傾斜面２５３ａに対して下流側から当接する。この際、当該遊技球Ｂ２に対して傾斜面２５３ａからの下方に向けた押圧力の付与が開始されることとなる。
【０１７２】
その後、図１９（ｃ）に示すように、２段目であって最も先頭に配置されていた遊技球Ｂ２は、１段目の遊技球列において当該遊技球Ｂ２が当初接していた連続する遊技球Ｂ３，Ｂ４のうち、前側の遊技球Ｂ３と後側の遊技球Ｂ４との間に入り込む。これにより、整流カバー１９７において球詰まりを生じさせることなく、１列の遊技球列が形成される。
【０１７３】
例えば、回転体２３１が停止している状況で、１段目の遊技球列において接した状態で連続する遊技球Ｂ３，Ｂ４の両方に上方から接している遊技球Ｂ２が傾斜面２５３ａに対して上流側から接している構成を想定すると、回転体２３１が開始された際に、１段目において後側の遊技球Ｂ４と、傾斜面２５３ａとの間に、上記２段目の遊技球Ｂ２が嵌り込んだ状態となり、球詰まりが発生してしまうことが懸念される。これに対して、本パチンコ機１０のように、回転体２３１が停止している状況では、上記２段目の遊技球Ｂ２が傾斜面２５３ａに接していないようにすることで、当該２段目の遊技球が傾斜面２５３ａに接した際の摩擦力が動摩擦力となり、上記例示した場合の静摩擦力に比べて摩擦力が小さくなる。よって、図１９（ａ）〜図１９（ｃ）にて示したように、球詰まりが生じづらくなっている。
【０１７４】
なお、当該球詰まりの発生をより積極的に抑える上では、整流カバー１９７を低摩擦材料により形成する、又は傾斜面２５３ａに低摩擦化用のコーティングを施すといったように、低摩擦用の構造を付与するとよい。この場合であっても、回転体２３１が停止している状況における２段目の遊技球Ｂ２と、傾斜面２５３ａとの関係を図１８（ａ）及び図１８（ｂ）のように設定することで、低摩擦用の構造が付与されている構成において、球詰まりの発生をより確実に抑えることが可能となる。
【０１７５】
ここで、上記のように説明した球詰まり発生の抑制効果は、第１待機通路２５１に対してだけでなく、第２待機通路に対しても奏される。この場合に、第１待機通路２５１と第２待機通路とは、上流側では前後に並設されているが、下流側では横方向に並設された状態となる。このため両者の通路形状は相違しているが、第２待機通路の通路長は、第１待機通路２５１における通路の状態が第１の状態では、第２待機通路における通路の状態が第２の状態となり、第１待機通路２５１における通路の状態が第２の状態では、第２待機通路における通路の状態が第１の状態となるように設定されている。つまり、第２待機通路においても、回転体２３１が停止している状況では２段目の遊技球が整流カバー１９７の傾斜面２５３ａに接していない状態となるように構成されている。そして、この第２待機通路の通路長の設定は、第２中間通路領域２０１ｂの延長領域２０１ｄを利用して行われている。
【０１７６】
＜電気的構成＞
主制御装置９１は、遊技の主たる制御を司る主制御基板３０１と、電源を監視する停電監視基板３０２と、を具備している。主制御基板３０１には、ＭＰＵ３０３が搭載されている。ＭＰＵ３０３には、ＲＯＭ３０４及びＲＷＭ３０５が内蔵されている。
【０１７７】
ＲＯＭ３０４は、ＭＰＵ３０３により実行される各種の制御プログラムや固定値データを記憶している。ＲＷＭ３０５は、ＲＯＭ３０４内に記憶されている制御プログラムの実行に際して各種のデータ等を一時的に記憶する。また、ＭＰＵ３０３又は主制御基板３０１には、上記素子以外に、割込回路、タイマ回路、データ入出力回路などが設けられている。
【０１７８】
ＭＰＵ３０３には、入力ポート及び出力ポートがそれぞれ設けられている。ＭＰＵ３０３の入力側及び出力側には、各種制御装置が接続されているとともに、各種センサ、各種駆動部及び各種表示部が接続されている。先ず各種センサ、各種駆動部及び各種表示部との接続に係る構成について説明する。
【０１７９】
ＭＰＵ３０３の入力側には、遊技領域の一般入賞口５１、可変入賞装置５２、上作動口５３、下作動口５４及びスルーゲート５５に対して設けられた各入賞用検知センサ３０６ａ〜３０６ｅが電気配線を介して電気的に接続されている。ＭＰＵ３０３では、各入賞用検知センサ３０６ａ〜３０６ｅから信号を受信し、その受信結果に基づいて各入賞部への入賞判定（入球判定）が行われる。この場合、一般入賞口５１、可変入賞装置５２、上作動口５３又は下作動口５４への入賞を特定した場合には、各入賞対象に対応した遊技球の払い出しが実行されるようにするための処理を実行する。また、上作動口５３又は下作動口５４への入賞を特定した場合には、所定の更新タイミングとなる度に数値情報の更新が行われる各種カウンタから数値情報を取得して保留情報として記憶するとともに、保留情報が記憶されている場合には、可変入賞装置５２が複数回に亘って開閉される開閉実行モードに移行させるか否かの当否判定や当該開閉実行モード後の遊技状態を決定するための振分判定を行う。そして、それら当否判定や振分判定の結果に基づいて、遊技を進行させる。
【０１８０】
ＭＰＵ３０３の出力側には、可変入賞装置５２を開閉動作させる可変入賞駆動部５２ａと、下作動口５４の電動役物５４ａを開閉動作させる電動役物駆動部５４ｂと、が電気配線を介して電気的に接続されている。また、ＭＰＵ３０３の出力側には、メイン表示部５７と、役物用表示部５８と、が電気配線を介して電気的に接続されている。主制御基板３０１には各種ドライバ回路が設けられており、当該ドライバ回路を通じてＭＰＵ３０３は各種駆動部５２ａ，５４ｂの駆動制御を実行するとともに各種表示部５７，５８の表示制御を実行する。
【０１８１】
つまり、開閉実行モードにおいては可変入賞装置５２が開閉されるように、ＭＰＵ３０３において可変入賞駆動部５２ａの駆動制御が実行される。また、電動役物５４ａの開放状態当選となった場合には、電動役物５４ａが開閉されるようにＭＰＵ３０３において電動役物駆動部５４ｂの駆動制御が実行される。また、各遊技回に際しては、ＭＰＵ３０３においてメイン表示部５７の表示制御が実行される。また、電動役物５４ａを開放状態とするか否かの抽選結果を明示する場合に、ＭＰＵ３０３において役物用表示部５８の表示制御が実行される。
【０１８２】
払出制御装置１１６は、払出装置１８４を通じた遊技球の払出の制御を司る払出制御基板３１１を具備している。払出制御基板３１１には、ＭＰＵ３１２が搭載されている。ＭＰＵ３１２には、ＲＯＭ３１３及びＲＷＭ３１４が内蔵されている。なお、以下の説明では、主制御装置９１に設けられたＭＰＵ３０３、ＲＯＭ３０４及びＲＷＭ３０５と区別するために、主制御装置９１に設けられたＭＰＵ３０３、ＲＯＭ３０４及びＲＷＭ３０５を主側ＭＰＵ３０３、主側ＲＯＭ３０４及び主側ＲＷＭ３０５と称し、払出制御装置１１６に設けられたＭＰＵ３１２、ＲＯＭ３１３及びＲＷＭ３１４を払出側ＭＰＵ３１２、払出側ＲＯＭ３１３及び払出側ＲＷＭ３１４と称する。
【０１８３】
払出側ＲＯＭ３１３は、払出側ＭＰＵ３１２により実行される各種の制御プログラムや固定値データを記憶している。払出側ＲＷＭ３１４は、払出側ＲＯＭ３１３内に記憶されている制御プログラムの実行に際して各種のデータ等を一時的に記憶する。また、払出側ＭＰＵ３１２又は払出制御基板３１１には、上記素子以外に、割込回路、タイマ回路、データ入出力回路などが設けられている。
【０１８４】
払出側ＭＰＵ３１２は払出装置１８４と電気的に接続されている。具体的には、払出側ＭＰＵ３１２の出力側には払出モータ２３５が電気配線を介して電気的に接続されているとともに、払出側ＭＰＵ３１２の入力側には払出検知センサ２３７が電気配線を介して電気的に接続されている。払出側ＭＰＵ３１２では、払出制御基板３１１に設けられたドライバ回路を通じて払出モータ２３５に駆動信号を供給することで遊技球の払出を実行させるとともに、払出検知センサ２３７の検知結果に基づいて払出が完了した遊技球の個数を把握する。
【０１８５】
また、払出側ＭＰＵ３１２は、裏パックユニット１５に設けられた球貸用接続端子板１１８と電気配線を通じて電気的に接続されているとともに、当該球貸用接続端子板１１８が電気配線を通じて球貸装置Ｙと電気的に接続されている。
【０１８６】
球貸装置Ｙは所謂ＣＲユニットであり、図示による説明は省略するが外枠１１の側方に設けられており、球貸装置Ｙの前面側にはカード挿入口が設けられている。そのカード挿入口へのカードの挿入を行うとともに、パチンコ機１０に設けられた貸球操作装置（図示略）を適宜手動操作することによりカードに記憶された金額に相当する数の遊技球の貸し出しを受けることができるようになっている。払出側ＭＰＵ３１２は、球貸装置Ｙとの間で電気信号の送受信を行うことで貸球の制御を実行する。
【０１８７】
なお、払出側ＭＰＵ３１２には上記払出装置１８４や球貸装置Ｙ以外にも、下皿８４ａといった球受け皿が遊技球の満杯状態となっているかを検知する満杯検知センサが電気的に接続されているとともに、タンク１８１が球無状態となっているかを検知する球無センサ２０９が電気的に接続されている。
【０１８８】
払出側ＭＰＵ３１２は、主側ＭＰＵ３０３との間で通信を行うことに基づき、遊技球の払出を制御する。具体的には、主側ＭＰＵ３０３では入賞用検知センサ３０６ａ〜３０６ｅの検知結果に基づいて賞球の発生に対応した入賞部への入賞を確認した場合に払出側ＭＰＵ３１２に向けて賞球コマンド（払出指令情報）を送信する。この場合、賞球コマンドには自身が賞球コマンドであることを示す情報及び賞球を実行すべき個数の情報が含まれており、複数ビットの情報として構成されている。当該賞球コマンドを受信することで、払出側ＭＰＵ３１２は、その賞球コマンドにより指示された個数の遊技球が払い出されるように払出モータ２３５を駆動制御する。そして、払出検知センサ２３７の検知結果に基づいて、上記指示に係る個数の遊技球の払い出しが完了したと判断した際には、払出モータ２３５の駆動制御を停止する。この際、払出モータ２３５に接続されている回転体２３１の回転位置は既に説明した位置となるように制御される。
【０１８９】
電源装置１１７は、電入時用電源部３２１と、電断時用電源部３２２とが設けられている。電入時用電源部１１３は、例えば遊技ホール等における商用電源（外部電源）に接続されており、その商用電源から供給される外部電力に基づいて主制御装置９１や払出制御装置１１６等の各々に必要な動作電圧を生成するとともに、その生成した動作電圧を主制御装置９１や払出制御装置１１６等に対して供給する。
【０１９０】
電入時用電源部３２１と主側ＭＰＵ３０３との電力供給経路の途中位置には停電監視基板３０２が設けられている。停電監視基板３０２は、電入時用電源部３２１から供給される最大電圧である直流安定２４ボルトの電圧を監視する。そして、この電圧が２２ボルト未満になると電源遮断の発生と判断し、主側ＭＰＵ３０３に対する停電信号（電断信号）の出力設定を停電（電源遮断）の発生に対応したものとする。
【０１９１】
電断時用電源部３２２はコンデンサからなり、パチンコ機１０の電源がＯＮ状態の場合（商用電源からの電力供給が行われている場合）に電入時用電源部３２１から供給される電力により充電される。また、パチンコ機１０の電源がＯＦＦ状態の場合や商用電源における停電発生時といった電源遮断状態（商用電源からの電力供給が遮断されている場合）では、電断時用電源部３２２から放電され主側ＲＷＭ３０５や払出側ＲＷＭ３１４に対して記憶保持用電力（バックアップ電力）が供給される。よって、かかる状況であっても、電断時用電源部３２２から記憶保持用電力が供給されている間は主側ＲＷＭ３０５及び払出側ＲＷＭ３１４に記憶された情報が消去されることなく記憶保持される。
【０１９２】
発射制御装置１２１には、発射制御基板１２２が設けられている。発射制御基板１２２には、条件成立の送信回路３３１と、発射許可の受信回路３３２と、発射用ＩＣ１２４ａと、が設けられている。
【０１９３】
条件成立の送信回路３３１は、予め定められた遊技球の発射条件が成立している場合において主側ＭＰＵ３０３に対して所定の信号形態の条件成立信号を送信する機能を有している。具体的には、発射制御基板１２２は、発射操作装置３１の操作ハンドル３３が遊技者により触れられていることを検知するタッチセンサ３５と、操作ハンドル３３を回転操作している状況であっても遊技球の発射を停止させるべく遊技者により手動操作される発射止めスイッチ３６と、が電気的に接続されている。また、発射制御基板１２２は、払出制御基板３１１と電気的に接続されており、球貸装置Ｙが球貸用接続端子板１１８に対して電気的に接続されているか否かを示す信号を入力する。
【０１９４】
条件成立の送信回路３３１は、タッチセンサ３５から操作ハンドル３３が遊技者により触れられていることを示す信号を受信するとともに、発射止めスイッチ３６から遊技者により手動操作されていないことを示す信号を受信し、さらに払出側ＭＰＵ３１２から球貸装置Ｙが接続されている旨の信号を受信している場合に、主側ＭＰＵ３０３に対してＨＩレベルの条件成立信号（条件成立に対応した信号）を送信する。なお、上記各信号のいずれかを受信していない場合には、主側ＭＰＵ３０３に対してＬＯＷレベルの条件成立信号（条件成立に対応していない信号）を送信する。但し、かかる構成に限定されることはなく、ＬＯＷレベルとＨＩレベルとの関係が逆であってもよい。
【０１９５】
発射許可の受信回路３３２は、条件成立の送信回路３３１から主側ＭＰＵ３０３に対してＨＩレベルの条件成立信号が送信されていることを一の条件として主側ＭＰＵ３０３から送信されるＨＩレベルの発射許可信号（発射許可に対応した信号）を受信するとともに、当該発射許可信号を受信している場合にそれに対応した信号を発射用ＩＣ１２４ａに継続して供給する機能を有している。なお、主側ＭＰＵ３０３は、条件成立の送信回路３３１からＨＩレベルの条件成立信号を受信していない場合にはＬＯＷレベルの発射許可信号（発射許可に対応していない信号）を送信するが、発射許可信号のＬＯＷレベル信号とＨＩレベル信号との関係が逆であってもよい。また、主側ＭＰＵ３０３は、ＨＩレベルの条件成立信号の受信を開始するたびにＨＩレベルの発射許可信号の送信を新たに開始するとともにＨＩレベルの条件成立信号の受信が終了した場合にはＨＩレベルの発射許可信号の送信を終了する。
【０１９６】
発射用ＩＣ１２４ａは、発射許可の受信回路３３２からＨＩレベルの発射許可信号又はそれに対応した信号を受信している場合に、遊技球発射機構４１のソレノイド４２及び球送り装置４４のそれぞれに対して定期的に駆動信号を出力する機能を有している。この場合、発射用ＩＣ１２４ａは、パルス信号として各駆動信号を出力するとともに、その出力周期は０．６ｓｅｃとなっている。また、発射レール４３に１個の遊技球が供給された後に、当該遊技球が発射されるように、駆動信号の出力タイミングは球送り装置４４の方がソレノイド４２よりも早く設定されている。
【０１９７】
なお、発射操作装置３１には上記のとおり操作ハンドル３３が設けられており、当該操作ハンドル３３の操作量が多いほどソレノイド４２による遊技球の発射強度が強くなる。この場合、発射操作装置３１には操作ハンドル３３の操作量を検知するための可変抵抗器３４が設けられており、発射用ＩＣ１２４ａでは当該可変抵抗器３４から入力する電圧を通じてソレノイド４２に供給する駆動信号の電圧を調整して発射強度を調整する。
【０１９８】
音声発光制御装置９３は、主側ＭＰＵ３０３から受信したコマンドに基づき、表示ランプ部８１及びスピーカ部８２を駆動制御するとともに、表示制御装置９２にコマンドを送信する。表示制御装置９２は、音声発光制御装置９３から受信した各種コマンドを解析し又は受信した各種コマンドに基づき所定の演算処理を行って、図柄表示装置６２における画像の表示を制御する。
【０１９９】
以上詳述した本実施の形態によれば、以下の優れた効果を奏する。
【０２００】
タンク１８１の出口部分から払出装置１８４の回転体２３１の位置に亘って設けられた待機通路に、下り傾斜させて形成された上流通路領域１９１ａ，１９１ｂが形成されていることにより、タンク１８１から流下してくる遊技球の重量負荷を良好に受けながら、遊技球を下流側へと整列させていくことが可能となる。そして、この整流効果は、整流カバー１９７が設けられていることにより高められている。
【０２０１】
この場合に、待機通路において整流カバー１９７の傾斜面２５３ａの最上流部に対応する位置までの通路長及び当該傾斜面２５３ａの傾きは、各上流通路領域１９１ａ，１９１ｂの底面上に一列に整列された遊技球列に対して積層された２段目であって最も先頭に位置している遊技球Ｂ２が傾斜面２５３ａに対して上流側から接しないように設定されている。
【０２０２】
例えば、回転体２３１が停止している状況で、１段目の遊技球列において接した状態で連続する遊技球Ｂ３，Ｂ４の両方に上方から接している遊技球Ｂ２が傾斜面２５３ａに対して上流側から接している構成を想定すると、回転体２３１が開始された際に、１段目において後側の遊技球Ｂ４と、傾斜面２５３ａとの間に、上記２段目の遊技球Ｂ２が嵌り込んだ状態となり、球詰まりが発生してしまうことが懸念される。これに対して、回転体２３１が停止している状況では、上記２段目の遊技球Ｂ２が傾斜面２５３ａに接していないようにすることで、当該２段目の遊技球が傾斜面２５３ａに接した際の摩擦力が動摩擦力となり、上記例示した場合の静摩擦力に比べて摩擦力が小さくなる。よって、球詰まりが生じづらくなっている。
【０２０３】
また、整流カバー１９７よりも上流側には積層規制部材１９６が設けられており、当該積層規制部材１９６では、それよりも上流側において例えば３個以上の遊技球が積層された状態を積層個数が最大で２個となるように整流が行われる。これにより、遊技球の積層数を段階的に減少させることが可能となる。さらにまた、積層規制部材１９６の規制部１９６ａは、２段目の遊技球に下流側から当接し、当該遊技球に対して上流側であって下方に向けた力を付与する。これにより、１段目において一列に整列している遊技球列に対して積層された２段目の遊技球は、１段目において連続する２個の遊技球のそれぞれに対して斜め上方から当接した位置に配置される。
【０２０４】
払出装置１８４が遊技機本体１２の背面にてその回動基端側に設けられた構成において、当該払出装置１８４の取り外しに際しては、回動基端側から固定解除操作を行う必要がある。これにより、払出装置１８４を不正に取り外そうとしても、その行為が行いづらくなっている。特に、回動基端側に払出装置１８４が設けられた構成において回動基端側から固定解除操作を行う必要がある構成としたことにより、払出装置１８４を不正に取り外そうとしても、外枠１１に対して遊技機本体１２を大きく回動させる必要が生じるため、当該不正行為の途中において遊技ホールの管理者がそれを発見し易くなる。
【０２０５】
タンク１８１の出口部分から払出装置１８４の回転体２３１の位置に亘って形成される待機通路として、第１待機通路及び第２待機通路という複数の通路が設けられていることにより、遊技球の払出動作の高速化が図られる。また、回転体２３１の各球止め部２３３，２３４は単一の払出モータ２３５により駆動されるため、これら球止め部２３３，２３４に対して個別に払出モータを設ける構成に比べて払出装置１８４の小型化が図られる。
【０２０６】
ここで、払出モータ２３５は、複数の待機通路のそれぞれから遊技球の重量負荷を受けている状態で、一対の球止め部２３３，２３４を同時に回転させる駆動力を生じさせる必要があるため、払出モータ２３５の本体部２３５ｂは比較的大型となり、軸方向の寸法はそれに対して直交する方向よりも大きくなる。さらにまた、払出モータ２３５の本体部２３５ｂは、通路形成部２２２に対して、第１下流通路領域２２４ａ及び第２下流通路領域２２４ｂの並設方向に並設する必要がある。そうすると、払出装置１８４は上記並設方向の寸法が、当該並設方向及び高さ方向に直交する方向の寸法に比べて大きくなる。これに対して、払出装置１８４において第１下流通路領域２２４ａ及び第２下流通路領域２２４ｂが横方向に並設されているとともに、通路形成部２２２に対して駆動収容部２２３は横方向に並設されている。これにより、パチンコ機１０背面において後方に向けて払出装置１８４が大きく張り出してしまうことを抑えながら、払出装置１８４を配置することが可能となる。
【０２０７】
また、第１待機通路及び第２待機通路は、タンク１８１に連通された箇所から下り傾斜させて設けられた上流通路領域１９１ａ，１９１ｂを備えていることにより、これら待機通路に待機する遊技球の球圧を好適に低減することが可能となる。また、これら上流通路領域１９１ａ，１９１ｂは横方向に下り傾斜させて設けられているとともに、前後に並設されているため、これら上流通路領域１９１ａ，１９１ｂを設けるための空間の縮小化が図られる。当該構成において、第１待機通路及び第２待機通路には、第１待機通路及び第２待機通路を前後に並設させた状態から横方向に並設させた状態へ遷移させる遷移領域を有する中間通路領域２０１ａ，２０１ｂが形成されている。これにより、待機通路の上流側では遊技球の減圧を良好に行いながら、既に説明したように払出装置１８４がパチンコ機１０背面において後方に向けて大きく張り出してしまうことが抑えられる。
【０２０８】
また、通路形成部２２２に対して駆動収容部２２３を横方向に並設する場合において、当該駆動収容部２２３は通路形成部２２２に対して遊技機本体１２の回動基端側に並設される。駆動収容部２２３には、払出モータ２３５の本体部２３５ｂだけでなく、払出検知センサ２３７のコネクタ２３７ｃや、払出制御装置１１６に対して電気的な接続を行うための中継基板２３９が収容されているため、不正の対象となることが想定される。これに対して、遊技機本体１２の背面にてその回動基端側に払出装置１８４が設けられた構成において、駆動収容部２２３を回動基端側に配置することで、払出検知センサ２３７のコネクタ２３７ｃや、中継基板２３９に対する不正を抑制することが可能となる。
【０２０９】
主制御装置９１と発射制御装置１２１とが個別に設けられていることにより、発射制御装置１２１の機能が主制御装置９１に集約される構成に比べて、主制御装置９１の制御負荷の軽減が図られる。また、主制御装置９１と発射制御装置１２１とが個別に設けられていることで、それぞれにとって適した位置にそれら制御装置９１，１２１を配置することが可能となる。この場合に、発射制御装置１２１は、樹脂ベース２１において遊技球発射機構４１が表面に設置された下枠領域１４１の背面に設置されているため、当該発射制御装置１２１を遊技者が簡単に触れることができないようにしつつ、発射制御装置１２１と遊技球発射機構４１とを電気的に接続するための電気配線１５２ａ，１５２ｄの短縮化が図られる。よって、発射制御装置１２１の設置を良好に行うことが可能となる。
【０２１０】
なお、上述した実施の形態の記載内容に限定されず、本発明の趣旨を逸脱しない範囲内で種々の変形改良が可能である。例えば以下のように変更してもよい。 ちなみに、以下
の別形態の構成を、上記実施の形態の構成に対して、個別に適用してもよく、組み合わせて適用してもよい。
【０２１１】
（１）図２１（ａ）には、待機通路の変形例を示す。本構成では、払出装置３４１の回転体３４２へと遊技球を導く下流通路領域３４３が下り傾斜させて形成されているため、待機通路において待機している遊技球列から回転体３４２に付与される重量負荷が低減される。また、通常の遊技球の払い出し時（すなわち、払出異常を原因とした異常用動作時以外）では、下流通路領域３４３に待機している遊技球から受ける重量負荷を逃がす方向に回転するように回転体３４２が駆動制御される。具体的には、回転体３４２において下流通路領域３４３に近い位置を通過する領域は、下流通路領域３４３の傾斜方向における横方向の成分の向きと同一の向きへと移動していくように、通常の遊技球の払い出し時における回転体３４２の回転方向が設定されている。これにより、回転体３４２の通常時の回転に際しての駆動力の低減が図られる。
【０２１２】
なお、回転体３４２の異常用動作時には、回転体３４２は逆方向に回転することとなるが、当該異常用動作が発生する機会は通常時の動作頻度と比べて極端に低いものとなっている。
【０２１３】
（２）図２１（ｂ）は、図２１（ａ）のさらなる変形例を示す。本構成では、払出装置３５１の回転体３５２へと導く下流通路領域３５３，３５４はいずれも下り傾斜させて形成されているため、各待機通路において待機している遊技球列から回転体３５２に付与される重量負荷が低減される。また、通常の遊技球の払い出し時では、両下流通路領域３５３，３５４のうち傾斜が大きい下流通路領域３５３に待機している遊技球から受ける重量負荷を逃がす方向に回転するように回転体３５２が駆動制御される。具体的には、回転体３５２において傾斜が大きい下流通路領域３５３に近い位置を通過する領域は、当該下流通路領域３５３の傾斜方向における横方向の成分の向きと同一の向きへと移動していくように、通常の遊技球の払い出し時における回転体３５２の回転方向が設定されている。これにより、回転体３５２の通常時の回転に際しての駆動力の低減が図られる。
【０２１４】
（３）タンク１８１の出口部分から払出装置１８４の回転体２３１の位置に亘って形成された待機通路において球詰まりの発生を抑制しながら遊技球の整列を良好に行えることができるという傾斜面２５３ａの機能に着目した場合、待機通路は２列に限定されることはなく、３列以上であってもよく、一列であってもよい。また、当該機能を発揮する待機通路及び傾斜面２５３ａの構成は、タンク１８１から流下してきた遊技球であって遊技者に払い出すための遊技球が待機する通路以外の待機通路に対して適用してもよい。
【０２１５】
例えば、外枠に開閉可能に支持された遊技機本体の前面側に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機において、貯留部から取込装置へと続く待機通路に対して適用してもよい。この場合、取込装置における遊技球の取込を良好に行えるようにしながら、球詰まりの発生を抑制できる。
【０２１６】
（４）払出装置１８４を固定するために利用されるネジ２４８の頭部に対して回動基端側から対向する対向板部を、外枠１１に設けてもよい。この場合、払出装置１８４を取り外すためには、外枠１１に対して遊技機本体１２を回動させる必要が生じる。
【０２１７】
（５）設置領域２４５と払出装置１８４とに、ネジ２４８による固定を行わなくても、設置領域２４５に設置された払出装置１８４の変位を規制する仮止め構造を設けてもよい。例えば、設置領域２４５及び払出装置１８４の一方に係止部としてフック部を設けるとともに、他方に係止受け部としてフック受け部を設ける。これにより、設置領域２４５に払出装置１８４を固定する際にネジ２４８の螺着操作を回動基端側から行う必要がある構成において、払出装置１８４の設置作業の作業性を向上させることが可能となる。
【０２１８】
（６）設置領域２４５に固定用ボス２４６が設けられており、払出装置１８４に固定用フランジ２４７が設けられている構成に限定されることはなく、払出装置１８４に固定用ボス２４６が設けられており、設置領域２４５に当該固定用ボス２４６に対して遊技機本体１２の回動基端側から並設される固定用フランジ２４７が設けられている構成としてもよい。
【０２１９】
（７）払出装置１８４に設けられる球止め手段は、回転体２３１に限定されることはなく、下流通路領域２２４ａ，２２４ｂの下流側に出没する開閉部材や、開口部と閉塞部とがスライド移動方向に並設されたゲート部材であってもよい。
【０２２０】
前者の開閉部材であっても、各開閉部材が軸部を中心に回動することで出没動作する構成とするとともに、当該軸部を回動させる駆動手段として単一の払出モータを設ける構成とし、当該軸部及び払出モータの軸線方向が横方向となるようにすれば、パチンコ機１０背面における払出装置１８４の後方への張り出しを抑制することが可能となる。
【０２２１】
また、後者のゲート部材であっても、一の待機通路に対応した開口部と閉塞部とは横方向に並設するとともに各待機通路に対応した開口部と閉塞部との組み合わせは前後方向に並設する。そして、駆動手段として、出力軸が横方向に往復動するように単一のソレノイドを設ける構成とすれば、パチンコ機１０背面における払出装置１８４の後方への張り出しを抑制することが可能となる。
【０２２２】
（８）払出ユニット１１３においてタンク１８１が設けられていることは必須ではなく、当該タンク１８１が不具備であってもよい。この場合、島設備側に接続された通路樋から上流通路領域１９１ａ，１９１ｂに遊技球が直接供給される構成としてもよい。
【０２２３】
（９）第１待機通路及び第２待機通路はその途中で前後方向に並設された状態から横方向に並設された状態へ遷移されるのではなく、全体に亘って横方向に並設された構成としてもよく、少なくとも途中位置では前後方向にも横方向にも並設されておらず途中位置から最下流部に亘って横方向に並設される構成としてもよい。
【０２２４】
（１０）発射制御装置１２１の裏ケース体１３２において下枠領域１４１と対向する面に、例えば複数のリブを形成することで、前後方向の凹凸を形成してもよい。この場合、下枠領域１４１と発射制御装置１２１との間の隙間を介して主制御装置９１側などへ不正用治具を挿入しようとする行為を行いづらくすることが可能となる。特に、裏ケース体１３２において下枠領域１４１と対向する面と、下枠領域１４１において裏ケース体１３２と対向する背面との両方に前後方向の凹凸が形成されている場合には、上記のような挿入抑制効果が高められる。
【０２２５】
（１１）発射制御装置１２１において主制御装置９１との間で通信を行うために利用される電気配線１５２ｅ（特定配線）は、電源装置１１７ではなく、払出制御装置１１６に接続されている構成としてもよく、球貸用接続端子板１１８に接続されている構成としてもよく、さらには裏パックユニット１５に設けられた他の中継基板に接続されている構成としてもよい。払出制御装置１１６に接続する場合、当該払出制御装置１１６において遊技球の払い出しを実行するための通信用の電気配線と、発射制御を実行するための通信用の電気配線とが、コネクタユニットとしてまとめて主制御装置９１に接続される構成とするとよい。また、中継基板に接続する場合、遊技球の払い出しを実行するための通信用の電気配線と、発射制御を実行するための通信用の電気配線とを、コネクタユニットとしてまとめて主制御装置９１に接続する構成としてもよく、これに加えて又は前者の通信用の電気配線に代えて、電源装置１１７による電力供給用の電気配線を、コネクタユニットとしてまとめて主制御装置９１に接続する構成としてもよい。これらの構成であっても、裏パックユニット１５の不正開放を、特定配線を利用して行いづらくすることが可能となるとともに、主制御装置９１に設けられるコネクタの数を抑えることが可能となる。
【０２２６】
（１２）裏パック１０１の下部領域１０２ａと、発射制御装置１２１との縦方向の対向は、発射制御装置１２１の上方にて行われる構成に限定されることはなく、それに加えて又は代えて、発射制御装置１２１の下方にて行われる構成としてもよく、発射制御装置１２１の縦方向の途中位置にて行われる構成としてもよい。
【０２２７】
（１３）発射制御装置１２１から延びる裏パックユニット１５側に向けて延びる電気配線１５２ｅ（特定配線）は、その長さ寸法が、裏パックユニット１５の不正な開放操作を行いづらくするように設定されている構成に限定されることはなく、裏パックユニット１５を開放操作するのに十分な長さ寸法を有しているが、途中の領域を束ねたりすることで、結果的に、裏パックユニット１５の不正な開放操作が電気配線１５２ｅの存在によって行いづらくなっている構成としてもよい。なお、電気配線１５２ｅを通じて裏パックユニット１５の不正な開放操作を行いづらくする上では、電気配線１５２ｅが接続されている場合には、少なくとも主制御装置９１を取り外すことが可能な回動位置までの裏パックユニット１５の回動が阻止される構成とすることが好ましい。
【０２２８】
（１４）発射制御装置１２１は、遊技球の発射に際して主制御装置９１からの信号の受信を要しない構成としてもよい。この場合であっても、発射制御装置１２１から主制御装置９１に向けて遊技球の発射中であることを示す信号が出力されるようにしてもよく、当該構成においては当該信号が裏パックユニット１５に設けられた特定基板を介して主制御装置９１側に送信される構成としてもよい。
【０２２９】
また、発射制御装置１２１は、遊技球の発射に際して主制御装置９１に向けた信号の送信を行わない構成としてもよい。この場合であっても、主制御装置９１から発射制御装置１２１に向けて遊技球の発射を許可する信号や、遊技球の発射周期を調整するための信号が出力されるようにしてもよく、当該構成においては当該信号が裏パックユニット１５に設けられた特定基板を介して発射制御装置１２１側に送信される構成としてもよい。
【０２３０】
（１５）遊技回用の演出が実行される装置は、図柄表示装置６２に限定されることはなく、可動式に設けられた装飾部材が動作することで遊技回用の演出が実行される構成としてもよく、所定の発光部を点灯させることで遊技回用の演出が実行される構成としてもよく、上記各態様の全部又は一部の組み合わせによって遊技回用の演出が実行される構成としてもよい。
【０２３１】
（１６）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２３２】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【０２３３】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０２３４】
＜特徴Ａ群＞
特徴Ａ１．所定領域に向けて誘導される遊技球が待機することとなる待機通路（第１待機通路１９１ａ，２０１ａ，２２４ａ、第２待機通路１９１ｂ，２０１ｂ，２２４ｂ）と、
当該待機通路の下流側に設けられ、当該待機通路内の遊技球が下流側へ流下することを阻止又は許容する球止め手段（回転体２３１）と、
を備えた遊技機において、
前記待機通路は、所定方向に下り傾斜となるように形成された傾斜通路領域（第１上流通路領域１９１ａ、第２上流通路領域１９１ｂ）を備えており、
当該傾斜通路領域においてその底面（底面２５２）の上方に設けられ、当該傾斜通路領域において積層されている遊技球に対して下流側から当接することで、それよりも下流側にて前記傾斜通路領域の底面上に遊技球が積層されることを規制する天井傾斜面（傾斜面２５３ａ）を備え、
遊技球の流下が阻止されている状態で前記球止め手段にて受けられている遊技球（遊技球Ｂ１）を先頭にして一列の遊技球列が前記天井傾斜面よりも上流側の位置に亘って形成されているとともに、当該天井傾斜面よりも上流側の位置にて当該遊技球列の上方に遊技球が積層されている状況において、その積層されている遊技球のうち最も流下方向の先側に位置している遊技球（遊技球Ｂ２）が前記天井傾斜面に接していない状態で前記待機通路内の遊技球が待機するように、前記待機通路及び前記天井傾斜面が形成されていることを特徴とする遊技機。
【０２３５】
特徴Ａ１によれば、天井傾斜面が設けられていることにより、傾斜通路領域において遊技球を一列に整列させることが可能となる。この場合に、球止め手段にて受けられている遊技球を先頭にして一列の遊技球列が天井傾斜面よりも上流側の位置に亘って形成されているとともに、当該天井傾斜面よりも上流側の位置にて当該遊技球列の上方に遊技球が積層されている状況において、その積層されている遊技球のうち最も流下方向の先側に位置している遊技球が天井傾斜面に接していない状態で待機通路内の遊技球が待機する。これにより、遊技球が下流側へ移動している過程で、積層されている遊技球が天井傾斜面に当接することとなり、当該積層されている遊技球が天井傾斜面に当接している状態で遊技球の下流側への移動が開始される構成に比べて、天井傾斜面と遊技球との間の摩擦力が小さくなる。したがって、天井傾斜面と遊技球列との間で球詰まりが生じてしまう可能性が低減され、待機通路における遊技球の整流を良好に行うことが可能となる。
【０２３６】
特徴Ａ２．前記積層されている遊技球のうち最も流下方向の先側に位置している遊技球は、前記傾斜通路領域の底面上に形成されている遊技球列のうち流下方向に連続する２個の遊技球（遊技球Ｂ３、遊技球Ｂ４）のそれぞれに対して上方から当接するように配置され、
前記球止め手段において遊技球の流下が許容された場合に、前記流下方向の先側に位置している遊技球が前記天井傾斜面に上流側から当接することで、前記連続する２個の遊技球の間に入り込むように、前記天井傾斜面が形成されていることを特徴とする特徴Ａ１に記載の遊技機。
【０２３７】
特徴Ａ２によれば、天井傾斜面と遊技球列との間で球詰まりが生じてしまう可能性が低減される。
【０２３８】
特徴Ａ３．前記天井傾斜面よりも上流側に設けられ、前記遊技球列の上方に積層されている遊技球に対して上流側から当接することで、その積層されている遊技球が前記遊技球列において流下方向に連続する２個の遊技球のそれぞれに対して上方から当接する位置に配置されるようにする規制手段（積層規制部材１９６）を備えていることを特徴とする特徴Ａ２に記載の遊技機。
【０２３９】
特徴Ａ３によれば、天井傾斜面の上流側にて予備整流が行われるため、天井傾斜面における整流を良好に行うことが可能となる。
【０２４０】
特徴Ａ４．前記規制手段は、当該規制手段よりも下流側にて前記傾斜通路領域の底面上に３個の遊技球が積層されることを規制するものであることを特徴とする特徴Ａ３に記載の遊技機。
【０２４１】
特徴Ａ４によれば、傾斜通路領域の底面上に積層される遊技球の数を段階的に減少させることが可能となり、遊技球の整流を良好に行うことが可能となる。
【０２４２】
特徴Ａ５．前記球止め手段は、遊技球の流下を阻止している状態において前記遊技球列の先頭に配置される遊技球の位置が所定の範囲内において変位し得る構成であり、
前記待機通路及び前記天井傾斜面は、前記遊技球列の先頭に配置される遊技球の位置が前記所定の範囲内で変位したとしても、前記遊技球列が前記天井傾斜面よりも上流側の位置に亘って形成されているとともに当該天井傾斜面よりも上流側の位置にて当該遊技球列の上方に遊技球が積層されている状況において、その積層されている遊技球のうち最も流下方向の先側に位置している遊技球が前記天井傾斜面に接していない状態で前記待機通路内の遊技球が待機するように形成されていることを特徴とする特徴Ａ１乃至Ａ４のいずれか１に記載の遊技機。
【０２４３】
特徴Ａ５によれば、球止め手段において遊技球の流下が阻止されている状態がいずれの状態であったとしても、天井傾斜面と遊技球列との間で球詰まりが生じてしまう可能性が低減され、待機通路における遊技球の整流を良好に行うことが可能となる。
【０２４４】
特徴Ａ６．前記待機通路は第１待機通路（第１待機通路１９１ａ，２０１ａ，２２４ａ）であるとともに当該第１待機通路に対して並設された第２待機通路（第２待機通路１９１ｂ，２０１ｂ，２２４ｂ）を備え、
前記球止め手段は、前記第１待機通路の遊技球が下流側へ流下することを阻止又は許容し、さらに前記第２待機通路の遊技球が下流側へ流下することを阻止又は許容するものであり、
前記天井傾斜面は、前記第１待機通路の前記傾斜通路領域及び前記第２待機通路の前記傾斜通路領域の両方に対して設けられており、
前記第２待機通路は、前記天井傾斜面が設けられた位置よりも下流側の通路長が前記第１待機通路とは異なるように設定されており、
当該第２待機通路の通路長は、遊技球の流下が阻止されている状態で前記球止め手段にて受けられている遊技球を先頭にして一列の遊技球列が前記天井傾斜面よりも上流側の位置に亘って形成されているとともに、当該天井傾斜面よりも上流側の位置にて当該遊技球列の上方に遊技球が積層されている状況において、その積層されている遊技球のうち最も流下方向の先側に位置している遊技球が前記天井傾斜面に接していない状態で前記第２待機通路内の遊技球が待機するように設定されていることを特徴とする特徴Ａ１乃至Ａ５のいずれか１に記載の遊技機。
【０２４５】
特徴Ａ６によれば、待機通路が複数並設されているとともに両待機通路の通路長が相違しているとしても、天井傾斜面について同様の構成を利用して、それら待機通路のいずれについても球詰まりの発生を抑制することが可能となる。
【０２４６】
特徴Ａ７．上方に開放され、多数の遊技球を貯留するタンク（タンク１８１）を備え、
前記待機通路は、前記タンクの位置から前記球止め手段の位置に亘って設けられており、当該待機通路に待機する遊技球は、前記所定領域として遊技機前面の貯留部（上皿８３ａ、下皿８４ａ）に向けて払い出すための遊技球であることを特徴とする特徴Ａ１乃至Ａ６のいずれか１に記載の遊技機。
【０２４７】
特徴Ａ７によれば、タンクには多数の遊技球が貯留されるため、待機通路に掛かる遊技球の重量負荷は大きなものとなる。この場合、球詰まりが発生し易くなるが、上記特徴Ａ１の構成を備えていることにより、天井傾斜面と遊技球列との間で球詰まりが生じてしまう可能性が低減され、待機通路における遊技球の整流を良好に行うことが可能となる。
【０２４８】
上記特徴Ａ群の発明は、以下の課題に対して効果的である。
【０２４９】
遊技機の一種であるパチンコ機は、例えばパチンコ機内部にて遊技球を貯留するためのタンクを備えており、当該タンクには島設備から遊技球が供給される。タンクに貯留されている遊技球は、所定の通路を通じて、遊技機前面の貯留部へ誘導される。また、当該所定の通路の途中位置には払出装置が設けられている。
【０２５０】
払出装置には回転体などの球止め手段が設けられており、当該球止め手段が通過を阻止している状況では当該球止め手段よりも上流側の待機通路にて遊技球が待機することとなる。その一方、球止め手段が通過を許容する状態となるように駆動されることで、待機通路にて待機している遊技球が貯留部に向けて払い出されることとなる。
【０２５１】
ここで、球止め手段による遊技球の払い出しを良好に行う上では、一の待機通路において球止め手段に向けて遊技球が一列に並んでいることが好ましい。その一方で、タンクから待機通路への遊技球の流れを最初から一列に制限するとタンクの出口部分において球詰まりが発生してしまうことが懸念される。そうすると、一の待機通路の途中位置で一列となるように整流することが好ましい。しかしながら、その整流に際して球詰まりが発生してしまう可能性がある。
【０２５２】
なお、以上の問題は、タンクから球止め手段へ向けた待機通路に限定されることはなく、所定方向に誘導される遊技球が待機することとなる待機通路を備える他の遊技機においても同様に発生する問題である。
【０２５３】
＜特徴Ｂ群＞
特徴Ｂ１．横方向の一方側が回動基端側となるようにして支持側の対象（外枠１１）に回動可能に支持される遊技機本体（遊技機本体１２）と、
遊技機前面の貯留部（上皿８３ａ、下皿８４ａ）に向けた遊技球の払出を阻止又は許容する球止め手段（回転体２３１）、及び払い出される遊技球を検知する払出検知手段（払出検知センサ２３７）を有する払出装置（払出装置１８４）と、
を備え、
当該払出装置は、前記遊技機本体の回動基端側に設けられた設置箇所（設置領域２４５）に設置されており、
前記設置箇所に対して前記払出装置を固定するとともに、固定解除操作が行われることにより当該設置箇所に対する前記払出装置の固定を解除する固定手段（固定用ボス２４６、固定用フランジ２４７、ネジ２４８）を備え、
当該固定手段は、前記固定解除操作を当該固定手段に対して前記遊技機本体の回動基端側から行う必要があるように設けられていることを特徴とする遊技機。
【０２５４】
特徴Ｂ１によれば、払出装置を不正に取り外そうとしても、遊技機本体の回動基端側に設けられた固定手段に対する固定解除操作を当該固定手段の回動基端側から行う必要がある。したがって、当該払出装置を不正に取り外そうとする行為を行いづらくすることが可能となる。
【０２５５】
特徴Ｂ２．前記設置箇所は、少なくとも前記固定手段による固定が行われていない状態において前記払出装置の重量を受けることで当該払出装置が前記設置箇所に設置された状態を保持する保持部（底板部２４４）を備えていることを特徴とする特徴Ｂ１に記載の遊技機。
【０２５６】
特徴Ｂ２によれば、払出装置の設置や取り外しに際しては、固定手段による固定が行われていない状態であっても払出装置を設置箇所に保持させることが可能である。これにより、上記特徴Ｂ１の構成を備え、払出装置の取り外しを行いづらくした構成において、払出装置の正規の設置作業や取り外し作業の作業性が低下してしまうことを抑制できる。
【０２５７】
特徴Ｂ３．前記固定手段は、前記設置箇所の周縁部に設けられた設置側固定部（固定用ボス２４６）と、前記払出装置のハウジング（払出ハウジング２２１）に設けられた払出側固定部（固定用フランジ２４７）と、を備え、前記設置側固定部及び前記払出側固定部が横方向に重なることで連通する孔部（ネジ孔２４６ａ、貫通孔２４７ａ）に固定部材（ネジ２４８）が挿入されることで前記設置箇所に対する前記払出装置の固定を行う構成であり、
前記設置箇所は、前記払出装置との当接により、前記設置側固定部と前記払出側固定部とが自ずと横方向に重なった状態とする位置決め部（背板部２４２、側板部２４３）を備えていることを特徴とする特徴Ｂ１又はＢ２に記載の遊技機。
【０２５８】
特徴Ｂ３によれば、払出装置の設置に際しては、位置決め部により位置決めされる位置に払出装置を配置することで、自ずと装置側固定部と払出側固定部とが横並びの状態となる。これにより、上記特徴Ｂ１の構成を備え、払出装置の取り外しを行いづらくした構成において、払出装置の正規の設置作業や取り外し作業の作業性が低下してしまうことを抑制できる。
【０２５９】
特徴Ｂ４．前記遊技機本体の内部又は前記遊技機本体の背面に設けられ、所定の開放操作を行うことで遊技機前方に露出させることが可能な特定面（上流側縦通路ユニット１８３においてパチンコ機１０後方を向く面）に前記設置箇所を有する払出用支持部（上流側縦通路ユニット１８３）を備えており、
前記設置箇所は、前記特定面の向く方向の先から当該方向の元側に前記払出装置を移動させることで当該払出装置を前記設置箇所に設置することができるように、前記特定面の向く方向に開放されていることを特徴とする特徴Ｂ１乃至Ｂ３のいずれか１に記載の遊技機。
【０２６０】
特徴Ｂ４によれば、払出装置の設置に際しては、所定の開放操作を行って特定面を露出させるとともに、特定面の向く方向の先から当該方向の元側に払出装置を移動させることで、当該払出装置を設置箇所に設置することができる。つまり、払出装置の設置作業に際して回動基端側から設置箇所に払出装置を設置する必要がない。これにより、上記特徴Ｂ１の構成を備え、払出装置の取り外しを行いづらくした構成において、払出装置の正規の設置作業や取り外し作業の作業性が低下してしまうことを抑制できる。
【０２６１】
特徴Ｂ５．前記設置箇所は、前記遊技機本体の背面に設けられているとともに、当該遊技機本体の背面の向く方向の先から当該方向の元側に前記払出装置を移動させることで当該払出装置を前記設置箇所に設置することができるように、前記遊技機本体の背面の向く方向に開放されていることを特徴とする特徴Ｂ１乃至Ｂ４のいずれか１に記載の遊技機。
【０２６２】
特徴Ｂ５によれば、払出装置の設置に際しては、遊技機本体を回動させて当該遊技機本体の背面を露出させるとともに、当該背面の向く方向の先から当該方向の元側に払出装置を移動させることで、当該払出装置を設置箇所に設置することができる。これにより、上記特徴Ｂ１の構成を備え、払出装置の取り外しを行いづらくした構成において、払出装置の正規の設置作業や取り外し作業の作業性が低下してしまうことを抑制できる。
【０２６３】
上記特徴Ｂ群の発明は、以下の課題に対して効果的である。
【０２６４】
遊技機の一種であるパチンコ機は、例えばパチンコ機内部にて遊技球を貯留するためのタンクを備えている。タンクに貯留されている遊技球は、所定の通路を通じて、遊技機前面の貯留部へ誘導される。また、当該所定の通路の途中位置には払出装置が設けられている。払出装置には回転体などの球止め手段が設けられており、当該球止め手段が払出の阻止状態となることで、当該球止め手段よりも上流側の待機通路にて遊技球が待機することとなる。
【０２６５】
球止め手段は制御装置と電気的に接続されている。そして、遊技領域に設けられた入球部へ遊技球が入球したこと又はＣＲユニットといった貸球装置が設けられた構成において当該貸球装置に対して貸出操作が行われたことに基づいて、制御装置に払出数情報が記憶され、払出動作を実行するように制御装置により球止め手段が駆動制御されることで、上記一旦停止されていた遊技球は貯留部に払い出される。
【０２６６】
また、払出装置には球止め手段よりも下流側に払出検知手段として払出検知センサを備えており、球止め手段の払出動作により下流側へ導出された遊技球は払出検知センサにて検知される。制御装置では当該払出検知センサの検知結果に基づいて、払い出された遊技球の個数を把握し、上記払出数情報に対応した数の遊技球が払い出された場合に球止め手段の払出動作を終了させる。
【０２６７】
ここで、上記パチンコ機においては、遊技球の不正な払出を行わせるべく、正規の払出装置を取り外してそれに不正を施した後に再度設置する行為や、正規の払出装置を不正な払出装置に交換する行為が想定される。この場合に、遊技球の不正な払い出しが実行されてしまうことが懸念される。
【０２６８】
＜特徴Ｃ群＞
特徴Ｃ１．遊技機前面の貯留部（上皿８３ａ、下皿８４ａ）に払い出すための遊技球が待機することとなる待機通路（第１待機通路１９１ａ，２０１ａ，２２４ａ、第２待機通路１９１ｂ，２０１ｂ，２２４ｂ）として、第１待機通路（第１待機通路１９１ａ，２０１ａ，２２４ａ）及び第２待機通路（第２待機通路１９１ｂ，２０１ｂ，２２４ｂ）を遊技機背面に備えており、
前記第１待機通路の下流側に設けられ、当該第１待機通路内の遊技球が下流側へ流下することを阻止又は許容する第１球止め手段（回転体２３１の球止め部２３３）と、
前記第２待機通路の下流側に設けられ、当該第２待機通路内の遊技球が下流側へ流下することを阻止又は許容する第２球止め手段（回転体２３１の球止め部２３４）と、
これら第１球止め手段及び第２球止め手段を動作させる駆動手段（払出モータ２３５）と、
を備え、
当該駆動手段は、前記第１球止め手段及び前記第２球止め手段の両方に動力を与える出力軸（出力軸２３５ａ）と、駆動状態となることで前記出力軸を動作させる本体部（本体部２３５ｂ）と、を備えており、
前記第１待機通路及び前記第２待機通路は、少なくとも前記各球止め手段に向けた最下流部において横方向に並設されているとともに、
前記駆動手段は、前記出力軸の軸線方向が横方向となり、且つ前記第１球止め手段及び前記第２球止め手段に対して前記本体部が横方向に位置するように設けられていることを特徴とする遊技機。
【０２６９】
特徴Ｃ１によれば、第１球止め手段及び第２球止め手段が単一の駆動手段により駆動されるため、これら球止め手段に対して個別に駆動手段を設ける構成に比べて、駆動手段が設けられた部分の小型化が図られる。この場合に、第１待機通路及び第２待機通路は少なくとも各球止め手段に向けた最下流部において横方向に並設されているとともに、駆動手段は、出力軸の軸線方向が横方向となり、且つ第１球止め手段及び第２球止め手段に対して本体部が横方向に位置するように設けられている。これにより、駆動手段が設けられた部分の前後方向の寸法を抑えることが可能となる。
【０２７０】
特徴Ｃ２．上方に開放され、多数の遊技球を貯留するタンク（タンク１８１）を備え、
当該タンクの位置から前記各球止め手段の位置に亘って前記第１待機通路及び前記第２待機通路が設けられており、
これら第１待機通路及び第２待機通路は、
前記タンクに連通された箇所から横方向に下り傾斜させて設けられ、第１待機通路及び第２待機通路を前後に並設させる上流通路領域（第１上流通路領域１９１ａ、第２上流通路領域１９１ｂ）と、
前記各球止め手段に向けた最下流部を含み、第１待機通路及び第２待機通路を横方向に並設させる下流通路領域（第１下流通路領域２２４ａ、第２下流通路領域２２４ｂ）と、
前記上流通路領域と前記下流通路領域との間に設けられ、遊技球の流下方向において第１待機通路及び第２待機通路を前後に並設させた状態から横方向に並設させた状態へ遷移させる遷移領域（延長領域２０１ｄ及びその周辺の領域）を有する中間通路領域（第１中間通路領域２０１ａ、第２中間通路領域２０１ｂ）と、
を備えていることを特徴とする特徴Ｃ１に記載の遊技機。
【０２７１】
特徴Ｃ２によれば、第１待機通路及び第２待機通路は、タンクに連通された箇所から下り傾斜させて設けられた上流通路領域を備えていることにより、これら各待機通路に待機する遊技球の球圧を好適に低減することが可能となる。また、これら第１待機通路及び第２待機通路の上流通路領域は横方向に下り傾斜させて設けられているとともに、前後に並設されているため、これら上流通路領域を設けるための空間の縮小化が図られる。
【０２７２】
当該構成において、第１待機通路及び第２待機通路には、遊技球の流下方向において第１待機通路及び第２待機通路を前後に並設させた状態から横方向に並設させた状態へ遷移させる遷移領域を有する中間通路領域が形成されている。これにより、待機通路の上流側では遊技球の減圧を良好に行いながら、上記特徴Ｃ１にて説明したような優れた効果を奏することができる。
【０２７３】
特徴Ｃ３．前記第１待機通路及び前記第２待機通路において前記遷移領域よりも上流側に、これら第１待機通路及び第２待機通路に待機している遊技球を排出するための排出通路（排出通路２０６）の分岐位置が設定されているとともに、前記第１待機通路及び前記第２待機通路に待機している遊技球の前記排出通路への流入を阻止する阻止位置と許容する許容位置とに手動操作により切換配置可能に設けられた切換部材（切換部材２０７）を備えていることを特徴とする特徴Ｃ２に記載の遊技機。
【０２７４】
特徴Ｃ３によれば、第１待機通路及び第２待機通路が最下流部側において横方向に並設される構成において、遷移領域よりも上流側に切換部材が設けられているため、第１待機通路及び第２待機通路が形成された部位に対して遊技機後方側から切換部材の手動操作を行うことが可能である。これにより、切換部材の操作性を低下させないようにしながら、上記特徴Ｃ１にて説明したような優れた効果を奏することができる。
【０２７５】
特徴Ｃ４．前記第１待機通路に対応した遊技球の通過部及び前記第２待機通路に対応した遊技球の通過部（通過部２０９ａ，２０９ｂ）が並設されているとともに、これら通過部に対してその並設方向及び遊技球の通過方向に対して直交する方向に延びる検知本体部（本体部２０９ｃ）を有し、前記第１待機通路及び前記第２待機通路に遊技球が待機しているか否かを検知するための待機側検知手段（球無センサ２０９）を備え、
当該待機側検知手段は、前記第１待機通路及び前記第２待機通路における前記遷移領域よりも上流側において前記各通過部の並設方向が前後方向となるようにして設けられていることを特徴とする特徴Ｃ２又はＣ３に記載の遊技機。
【０２７６】
特徴Ｃ４によれば、第１待機通路及び第２待機通路が最下流部側において横方向に並設される構成において、遷移領域よりも上流側に待機側検知手段が設けられているため、待機側検知手段の前後方向の寸法を抑えながら、上記特徴Ｃ１にて説明したような優れた効果を奏することができる。
【０２７７】
特徴Ｃ５．前記第１待機通路の前記遷移領域及び前記第２待機通路の前記遷移領域は、
これら第１待機通路と第２待機通路とが前後に並設された状態から横方向に分離させた状態とする分離領域（延長領域２０１ｄ）と、
当該分離領域よりも下流側において、前記第１待機通路の前記遷移領域及び前記第２待機通路の前記遷移領域のうち一方を遊技機前方に向けて下り傾斜させるとともに、他方を遊技機後方に向けて下り傾斜させることで第１待機通路及び第２待機通路を横方向に並設させる傾斜領域（傾斜部２１１ａ，２１１ｂ）と、
を備えていることを特徴とする特徴Ｃ２乃至Ｃ４のいずれか１に記載の遊技機。
【０２７８】
特徴Ｃ５によれば、第１待機通路及び第２待機通路が前後に並設された状態から横方向に並設された状態へ遷移させる遷移領域には、第１待機通路及び第２待機通路のそれぞれに対して傾斜領域が設けられている。これにより、当該遷移領域の構成を利用して、第１球止め手段にかかる遊技球の重量負荷及び第２球止め手段にかかる遊技球の重量負荷の両方について減圧を行うことができる。
【０２７９】
特徴Ｃ６．前記第１球止め手段及び前記第２球止め手段は、前記出力軸が固定される軸部を有する回転体（回転体３５２）であるとともに、前記駆動手段は、前記出力軸を軸周りに回転させることで前記回転体を回転させるものであり、
前記第１待機通路の前記傾斜領域（下流通路領域３５３）及び前記第２待機通路の前記傾斜領域（下流通路領域３５４）は、一方に比べて他方の傾斜が大きくなるように形成されており、
遊技球の払い出しを行う場合における前記回転体の回転方向が、前記各傾斜領域のうち傾斜の大きい側を通過した部位が傾斜の小さい側へと向かう回転方向となるように前記駆動手段を駆動制御する駆動制御手段（払出制御装置１１６）を備えていることを特徴とする特徴Ｃ５に記載の遊技機。
【０２８０】
特徴Ｃ６によれば、第１球止め手段及び第２球止め手段のうちより大きな重量負荷が掛かる側について、遊技球の払い出しに際して、その重量負荷を逃がす方向に回転体が回転する。これにより、遊技球を払い出す場合において回転体を回転させるのに必要な駆動力の低減が図られる。
【０２８１】
特徴Ｃ７．横方向の一方側が回動基端側となるようにして支持側の対象（外枠１１）に回動可能に支持される遊技機本体（遊技機本体１２）を備え、
前記第１球止め手段、前記第２球止め手段及び前記駆動手段は払出装置（払出装置１８４）としてユニット化して設けられているとともに、当該払出装置には払い出される遊技球を検知する払出検知手段（払出検知センサ２３７）が設けられており、
前記払出装置は、前記遊技機本体の回動基端側に設けられており、さらに、前記駆動手段の本体部と前記払出検知手段の本体部（本体部２３７ｂ）が収容される収容部（駆動収容部２２３）が、前記第１球止め手段及び前記第２球止め手段が設けられる通路形成部（通路形成部２２２）に対して回動基端側に配置されるように設けられていることを特徴とする特徴Ｃ１乃至Ｃ６のいずれか１に記載の遊技機。
【０２８２】
特徴Ｃ７によれば、払出装置の通路形成部と収容部とが横方向に並設される構成において、収容部が回動基端側に配置されるため、払出検知手段の本体部に対する不正行為が行いづらくなる。
【０２８３】
特徴Ｃ８．前記第１球止め手段及び前記第２球止め手段は、前記出力軸が固定される軸部（回転軸部２３２）を有する回転体（回転体２３１）であるとともに、前記駆動手段は、前記出力軸を軸周りに回転させることで前記回転体を回転させるものであることを特徴とする特徴Ｃ１乃至Ｃ７のいずれか１に記載の遊技機。
【０２８４】
特徴Ｃ８によれば、第１球止め手段及び第２球止め手段が回転体であるとともに、駆動手段が出力軸を回転させるものである構成において、上記特徴Ｃ１にて説明したような優れた効果を奏することができる。
【０２８５】
特徴Ｃ９．所定領域に向けて誘導される遊技球が待機することとなる待機通路と、
当該待機通路の下流側において回転可能に設けられ、回転が停止している状況では前記待機通路内の遊技球が下流側へ流下することを阻止するとともに、回転することで当該遊技球を下流側へと誘導する回転体（回転体３４２）と、
当該回転体を回転させる駆動手段（払出モータ２３５）と、
を備え、
前記待機通路は、少なくとも前記回転体に向けた最下流部側において特定方向に下り傾斜させて形成された傾斜領域（下流通路領域３４３）を備えており、
前記所定方向に遊技球を誘導させる場合における前記回転体の回転方向が、前記傾斜領域側を通過した部位が前記特定方向へと向かう回転方向となるように前記駆動手段を駆動制御する駆動制御手段（払出制御装置１１６）を備えていることを特徴とする遊技機。
【０２８６】
特徴Ｃ９によれば、待機通路は回転体に向けた最下流部側において特定方向に下り傾斜させて形成されているため、待機通路に待機している遊技球の回転体に掛かる重量負荷が減圧される。また、所定方向に遊技球を誘導させる場合における回転体の回転方向が、傾斜領域を通過した部位が特定方向へと向かう回転方向となるように駆動手段が駆動制御されるため、当該誘導に際して回転体を回転させるのに必要な駆動力の低減が図られる。
【０２８７】
上記特徴Ｃ群の発明は、以下の課題に対して効果的である。
【０２８８】
遊技機の一種であるパチンコ機は、例えばパチンコ機内部にて遊技球を貯留するためのタンクを備えており、当該タンクには島設備から遊技球が供給される。タンクに貯留されている遊技球は、所定の通路を通じて、遊技機前面の貯留部へ誘導される。また、当該所定の通路の途中位置には払出装置が設けられている。
【０２８９】
払出装置には回転体などの球止め手段が設けられており、当該球止め手段が通過を阻止している状況では当該球止め手段よりも上流側の待機通路にて遊技球が待機することとなる。その一方、球止め手段が通過を許容する状態となるように駆動されることで、待機通路にて待機している遊技球が貯留部に向けて払い出されることとなる。
【０２９０】
上記のようにタンク及び払出装置を備えたパチンコ機として、タンクから払出装置の球止め手段へと通じる待機通路を前後方向に並設させて２列設ける構成が知られている。この場合、所定個数の遊技球の払い出しに要する時間の短縮化が図られる。
【０２９１】
ここで、上記のように待機通路が２列設けられた構成においては、各待機通路について遊技球の払い出しが阻止又は許容される必要がある。この場合に、各待機通路に対して個別に球止め手段を設けるとともに、各球止め手段に対して個別に電動アクチュエータを設ける構成が考えられる。
【０２９２】
しかしながら、当該構成では払出装置が大型化してしまうため、好ましくない。これに対して、各待機通路に対して個別に球止め手段を設けながら、それら球止め手段を単一の電動アクチュエータにより動作させる構成とすることで、個別に電動アクチュエータを設ける構成に比べて払出装置の小型化が図られる。
【０２９３】
しかしながら、各待機通路のそれぞれについて遊技球の払出動作を行わせるためには、電動アクチュエータにおいてある程度の駆動力が必要となるため、電動アクチュエータの本体部はある程度のサイズを有することとなる。さらにまた、待機通路は前後方向に並設されているため、それら待機通路に対して単一の電動アクチュエータの構成を適用しようとすると、待機通路の並設方向に電動アクチュエータの本体部が並ぶこととなる。そうすると、払出装置の前後方向の厚みが大きくなってしまう。この場合、例えば演出用の装置などの大型化に起因して、払出装置の位置が従来の位置よりも後方へと設計変更されると、遊技ホールの島設備において背面を対向させた状態でパチンコ機が設置された際に、両パチンコ機間の隙間が極端に狭くなってしまうことが懸念され、さらには両パチンコ機が干渉してしまうことも懸念される。
【０２９４】
＜特徴Ｄ群＞
特徴Ｄ１．遊技球が流下する遊技領域（遊技領域２３ａ）が前面に形成された遊技部（遊技盤２３）を有するとともに、支持側の対象（外枠１１）に対して回動可能に支持されるベース体（樹脂ベース２１）と、
遊技機前面に設けられ、前記遊技領域を遊技機前方から視認可能とする窓部（窓部７４）と、
前記遊技機前面に設けられ、前記遊技領域に向けて遊技球を発射させるべく遊技者により操作される発射操作手段（発射操作装置３１）と、
前記ベース体において前記遊技領域の下方に設けられ、前記遊技領域に向けて遊技球を発射する発射手段（遊技球発射機構４１）と、
前記遊技領域に設けられた入球部への遊技球の入球が発生したことに基づいて、それに応じた遊技進行用の制御を実行する進行制御手段（主制御装置９１）と、
前記発射操作手段が操作されたことに基づいて、前記遊技領域に向けて遊技球を発射するよう前記発射手段を制御する発射制御手段（発射制御装置１２１）と、
を備え、
前記発射制御手段は、前記ベース体において前記発射手段が表面に設置された支持部（下枠領域１４１）の背面に設置されていることを特徴とする遊技機。
【０２９５】
特徴Ｄ１によれば、進行制御手段と発射制御手段とが個別に設けられているため、発射制御手段の機能が進行制御手段に集約される構成に比べて、進行制御手段の制御負荷の軽減が図られる。また、進行制御手段と発射制御手段とが個別に設けられていることで、それぞれにとって適した位置にそれら制御手段を配置することが可能となる。
【０２９６】
この場合に、発射制御手段は、ベース体において発射手段が表面に設置された支持部の背面に設置されているため、当該発射制御手段を遊技者が簡単に触れることができないようにしつつ、発射制御手段と発射手段とを電気的に接続する配線の短縮化が図られる。よって、発射制御手段の設置を良好に行うことが可能となる。
【０２９７】
特徴Ｄ２．前記ベース体の背面には遊技球の払出機構（払出ユニット１１３）が搭載された裏ユニット（裏パックユニット１５）を備えており、
前記発射制御手段は前記支持部と前記裏ユニットとの間に設置されていることを特徴とする特徴Ｄ１に記載の遊技機。
【０２９８】
特徴Ｄ２によれば、発射制御手段を裏ユニットにより後方から保護することが可能となる。また、発射制御手段を不正に取り外そうとする行為を行いづらくすることが可能となる。
【０２９９】
特徴Ｄ３．前記進行制御手段は、前記ベース体の背面に設置されており、
前記発射制御が行われる場合、前記発射制御手段から前記進行制御手段側に向けた信号の送信及び前記進行制御手段から前記発射制御手段側に向けた信号の送信のうち少なくとも一方が行われる構成であり、
当該発射制御に係る通信を行うための経路の途中位置には、前記裏ユニットに設けられた特定基板（電源装置１１７）が介在しており、当該特定基板には前記ベース体側から特定配線（電気配線１５２ｅ）が接続されていることを特徴とする特徴Ｄ２に記載の遊技機。
【０３００】
特徴Ｄ３によれば、進行制御手段がベース体の背面に設けられていることにより、遊技機背面から進行制御手段に不正にアクセスしようとする行為を、裏パックの存在により行いづらくさせることが可能となる。当該構成において、特定基板は裏ユニットに設けられている。これにより、裏ユニットをベース体から不正に分離させようとする行為を、特定配線により行いづらくさせることが可能となる。
【０３０１】
特徴Ｄ４．前記特定基板と前記進行制御手段とを電気的に接続するように設けられ、前記発射制御に係る通信を行うための配線と、当該発射制御に係る通信とは異なる通信を行うため又は電力を供給するための配線とを、一のコネクタにより前記進行制御手段側に接続する接続ユニット（コネクタユニット１７５）を備えていることを特徴とする特徴Ｄ３に記載の遊技機。
【０３０２】
特徴Ｄ４によれば、特定基板を利用して、発射制御に係る通信を行うための配線と、当該発射制御に係る通信とは異なる通信又は電力を供給するための配線とを、一のコネクタにより進行制御手段に接続する構成とすることにより、各配線が特定基板に直接接続される構成に比べて、進行制御手段に設けられる接続部の数を減らすことが可能となる。これにより、メンテナンスなどに際して進行制御手段を取り外す場合の作業性が向上する。当該構成において、特定基板は裏ユニットに設けられている。これにより、裏ユニットをベース体から不正に分離させようとする行為を、特定配線により行いづらくさせることが可能となる。
【０３０３】
特徴Ｄ５．前記裏ユニットは、前記発射制御手段に対して遊技機後方から対向する面を有する後方部（下部領域１０２ａ）を備えており、
前記特定基板は、前記後方部において前記対向する面とは逆側の面に設けられており、
前記特定配線は、前記発射制御手段において遊技機後方を向く面であって前記後方部と対向しない面に設けられた接続部（コネクタ１２５ｅ）に接続されているとともに、前記特定基板において前記後方部を向く側とは逆側の面に設けられた接続部（コネクタ１５８）に接続されていることを特徴とする特徴Ｄ３又はＤ４に記載の遊技機。
【０３０４】
特徴Ｄ５によれば、特定配線の装着や取り外しを行う際の作業性を向上させることが可能となる。
【０３０５】
特徴Ｄ６．前記裏ユニットは、前記ベース体の背面に遊技機後方から重なる位置と、当該重なる位置よりも前記ベース体の背面に対して遊技機後方に離間された位置とに変位可能に設けられており、
前記特定配線の長さ寸法は、前記ベース体側及び前記特定基板の両方に接続されている状態において、前記裏ユニットの前記重なる位置から前記離間された位置への変位を行いづらくする長さ寸法に設定されていることを特徴とする特徴Ｄ３乃至Ｄ５のいずれか１に記載の遊技機。
【０３０６】
特徴Ｄ６によれば、裏ユニットをベース体から不正に分離させようとする行為を、特定配線により行いづらくさせることが可能となる。
【０３０７】
特徴Ｄ７．前記裏ユニットは、前記発射制御手段に対して縦方向に対向する裏側対向部（上側区画面１６２）を備えていることを特徴とする特徴Ｄ２乃至Ｄ６のいずれか１に記載の遊技機。
【０３０８】
特徴Ｄ７によれば、裏ユニットとベース体との隙間を介して、これらの間の空間内に不正用治具が挿入されたとしても、当該不正用治具が発射制御手段と裏側対向部との間に入り込んだ際に当該不正用治具のそれ以上の侵入を規制することが可能となる。そして、当該侵入規制の機能を、裏ユニットと発射制御手段とを利用して付与することができる。
【０３０９】
特徴Ｄ８．前記ベース体は、前後方向に貫通させて設けられ、前記発射制御手段と前記発射手段とを電気的に接続する配線が通される配線用孔部（挿通孔１５４）を有していることを特徴とする特徴Ｄ１乃至Ｄ７のいずれか１に記載の遊技機。
【０３１０】
特徴Ｄ８によれば、発射制御手段と発射手段とを接続する配線は、ベース体の周縁部の外側から回りこませるのではなく、ベース体の支持部に形成された配線用孔部を介して引き回されている。これにより、当該配線がベース体の回動操作に際して噛み込まれてしまうことを抑制できる。
【０３１１】
特徴Ｄ９．前記配線用孔部の位置が、前記支持部において、前記発射手段に対して遊技機後方側にて対向する位置、及び前記発射制御手段に対して遊技機前方側にて対向する位置のうち少なくとも一方の位置となるように、前記配線用孔部が形成されていることを特徴とする特徴Ｄ８に記載の遊技機。
【０３１２】
特徴Ｄ９によれば、支持部に配線用孔部が形成された構成において、当該配線用孔部に対して発射手段がその前方にて対向している、又は発射制御手段がその後方にて対向している。これにより、配線用孔部を介して、支持部の前方から支持部の後方へと不正用治具を挿入しようとする行為や、支持部の後方から支持部の前方へと不正用治具を挿入しようとする行為を、発射手段や発射制御手段を利用して抑制することが可能となる。
【０３１３】
特徴Ｄ１０．前記発射制御手段は、前記支持部の背面に対して遊技機後方側に突出させて設けられており、
前記ベース体は、前記発射制御手段に対して縦方向に対向するベース側対向部（段差板部１４４）を備えていることを特徴とする特徴Ｄ１乃至Ｄ９のいずれか１に記載の遊技機。
【０３１４】
特徴Ｄ１０によれば、ベース体と発射制御手段との隙間を介して、遊技部に向けて不正用治具が挿入されようとしたとしても、当該不正用治具が発射制御手段とベース側対向部との間に入り込んだ際に当該不正用治具のそれ以上の侵入を規制することが可能となる。そして、当該侵入規制の機能を、ベース体と発射制御手段とを利用して付与することができる。
【０３１５】
特徴Ｄ１１．前記ベース体は、前記遊技部を下方から受ける受け部（段差板部１４４）を備えており、
前記遊技部は、前記ベース体の背面側から当該ベース体に固定されているとともに、前記受け部に下方から受けられた状態で当該ベース体に固定されており、
前記発射制御手段は、発射制御基板を有するとともに、当該発射制御基板を収容する基板ボックスを有しており、さらに当該基板ボックスにおいて上方を向く所定の面が前記受け部の下方であって当該受け部よりも遊技機後方側に位置するように設置されていることを特徴とする特徴Ｄ１乃至Ｄ１０のいずれか１に記載の遊技機。
【０３１６】
特徴Ｄ１１によれば、遊技部の装着や取り外しに際して、遊技部を仮置きする機能が発射制御手段により果たされる。これにより、発射制御手段の多機能化が図られる。
【０３１７】
上記特徴Ｄ群の発明は、以下の課題に対して効果的である。
【０３１８】
遊技機の一種であるパチンコ機は、遊技球が流下する遊技領域が形成された遊技盤がベース体に支持されているとともに、パチンコ機前面には遊技領域をパチンコ機前方から視認可能とする窓部が形成されている。また、ベース体において遊技盤の下方には遊技領域に向けて遊技球を発射するための発射手段が設けられている。
【０３１９】
発射手段としては、例えば、電磁式のソレノイドと、発射レールと、球送り装置と、を備えている。そして、パチンコ機前面の貯留部に貯留された遊技球が球送り装置により発射レール上に１個ずつ供給されるとともに、パチンコ機前面の発射操作装置が遊技者により手動操作されることに基づき上記ソレノイドが駆動されて発射レール上の遊技球が遊技領域に向けて打出される。
【０３２０】
上記のような発射操作装置が手動操作されたことに基づく遊技球の発射制御は、遊技を統括管理する主制御装置とは別に設けられた発射制御装置により実行される。例えば発射操作装置には遊技者が発射操作装置を触れていることを検知するセンサや、遊技者の操作量を検知するセンサが設けられており、それらセンサの検知結果は発射制御装置にて把握される。そして、発射制御装置では、それらセンサの検知結果に基づいて、発射装置のソレノイドに駆動信号を出力し、遊技球の打ち出しを行わせる。
【０３２１】
なお、主制御装置から出力された信号を利用して発射制御装置にて発射制御が行われる構成も考えられ、さらにまた発射制御装置が発射制御以外の機能を有している構成も考えられる。
【０３２２】
ここで、発射制御装置には、少なくとも発射装置側への電気配線を接続する必要がある。この場合に、上記ベース体は外枠などに回動可能な状態で支持されていることが一般的であり、その回動に際して電気配線が噛み込まれてしまうことは好ましくない。その一方、発射制御装置は遊技球の発射制御というパチンコ機での遊技を可能とする上で必須の動作を制御するものであるため、遊技者が簡単に触れることができるのは好ましくない。
【符号の説明】
【０３２３】
１０…パチンコ機、１１…支持用の対象としての外枠、１２…遊技機本体、１５…裏ユニットとしての裏パックユニット、２１…ベース体としての樹脂ベース、２３…遊技盤、３１…発射操作装置、４１…遊技球発射機構、７４…窓部、８３ａ…貯留部を構成する上皿、８４ａ…貯留部を構成する下皿、９１…進行制御手段としての主制御装置、１０２ａ…下部領域、１１３…払出機構としての払出ユニット、１１６…払出制御装置、１１７…特定基板としての電源装置、１２１…発射制御装置、１２５ｅ…コネクタ、１４１…支持ぶとしての下枠領域、１４４…ベース側対向部としての段差板部、１５２ｅ…特定配線としての電気配線、１５４…配線用孔部としての挿通孔、１５８…コネクタ、１６２…裏側対向部としての上側区画面、１７５…コネクタユニット、１８１…タンク、１８３…払出用支持部としての上流側縦通路ユニット、１８４…払出装置、１９１ａ…第１待機通路を構成する第１上流通路領域、１９１ｂ…第２待機通路を構成する第２上流通路領域、１９６…規制手段としての積層規制部材、２０１ａ…第１待機通路を構成する第１中間通路領域、２０１ｂ…第２待機通路を構成する第２中間通路領域、２０１ｄ…延長領域、２０６…排出通路、２０７…切換部材、２０９…球無センサ、２１１ａ，２１１ｂ…傾斜部、２２１…払出ハウジング、２２２…通路形成部、２２３…駆動収容部、２２４ａ…第１待機通路を構成する第１下流通路領域、２２４ｂ…第２待機通路を構成する第２下流通路領域、２３１…回転体、２３３，２３４…球止め部、２３５…駆動手段としての払出モータ、２３５ａ…出力軸、２３５ｂ…本体部、２３７…払出検知手段としての払出検知センサ、２４２…背板部、２４３…側板部、２４４…底板部、２４５…設置領域、２４６…設置側固定部としての固定用ボス、２４７…払出側固定部としての固定用フランジ、２４８…ネジ、２５３ａ…天井傾斜面としての傾斜面、３４２…回転体、３４３…下流通路領域。
【図１】
2020049335.tif 000003
【図２】
2020049335.tif 000004
【図３】
2020049335.tif 000005
【図４】
2020049335.tif 000006
【図５】
2020049335.tif 000007
【図６】
2020049335.tif 000008
【図７】
2020049335.tif 000009
【図８】
2020049335.tif 000010
【図９】
2020049335.tif 000011
【図１０】
2020049335.tif 000012
【図１１】
2020049335.tif 000013
【図１２】
2020049335.tif 000014
【図１３】
2020049335.tif 000015
【図１４】
2020049335.tif 000016
【図１５】
2020049335.tif 000017
【図１６】
2020049335.tif 000018
【図１７】
2020049335.tif 000019
【図１８】
2020049335.tif 000020
【図１９】
2020049335.tif 000021
【図２０】
2020049335.tif 000022
【図２１】
2020049335.tif 000023